(57)【特許請求の範囲】
【請求項１】
多重アンテナシステムにおいてＣＱＩ  ＲＳ（Ｃｈａｎｎｅｌ  Ｑｕａｌｉｔｙ  Ｉｎｄｉｃａｔｉｏｎ  Ｒｅｆｅｒｅｎｃｅ  Ｓｉｇｎａｌ）を送信する方法であって、
前記方法は、
サブフレームで各アンテナに対してチャネル状態を測定するために用いられる少なくとも一つのＣＱＩ  ＲＳを割り当てることであって、前記サブフレームは、２個のリソースブロックを含み、各リソースブロックは、周波数領域における１２個の副搬送波及び時間領域における７個のＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）シンボルを含む、ことと、
前記割り当てられたＣＱＩ  ＲＳを送信することと
を含み、
前記少なくとも一つのＣＱＩ  ＲＳの各々は、前記サブフレームの前記２個のリソースブロック内で２個のリソース要素に割り当てられ、前記２個のリソース要素は、時間領域で２個の連続するＯＦＤＭシンボルに位置し、前記２個のリソースブロック内で周波数領域で同一の副搬送波に位置する、方法。
【請求項２】
前記２個のリソース要素を介して２個のアンテナに対する２個のＣＱＩ  ＲＳが送信され、前記２個のアンテナに対する前記２個のＣＱＩ  ＲＳは、互いに異なるコードにより区分される、請求項１に記載の方法。
【請求項３】
前記２個の連続するＯＦＤＭシンボルで、第１の周波数を有する２個のリソース要素を介して第１及び第２のアンテナに対するＣＱＩ  ＲＳが送信され、前記２個の連続するＯＦＤＭシンボルで、第２の周波数を有する２個のリソース要素を介して第３及び第４のアンテナに対するＣＱＩ  ＲＳが送信される、請求項１に記載の方法。
【請求項４】
前記第１及び第２のアンテナに対するＣＱＩ  ＲＳは、互いに異なるコードにより区分され、前記第３及び第４のアンテナに対するＣＱＩ  ＲＳは、互いに異なるコードにより区分される、請求項３に記載の方法。
【請求項５】
前記２個の連続するＯＦＤＭシンボルで、第１の周波数を有する２個のリソース要素を介して第１及び第２のアンテナに対するＣＱＩ  ＲＳが送信され、前記２個の連続するＯＦＤＭシンボルで、第２の周波数を有する２個のリソース要素を介して第３及び第４のアンテナに対するＣＱＩ  ＲＳが送信され、前記２個の連続するＯＦＤＭシンボルで、第３の周波数を有する２個のリソース要素を介して第５及び第６のアンテナに対するＣＱＩ  ＲＳが送信され、前記２個の連続するＯＦＤＭシンボルで、第４の周波数を有する２個のリソース要素を介して第７及び第８のアンテナに対するＣＱＩ  ＲＳが送信される、請求項１に記載の方法。
【請求項６】
同一な２個のリソース要素を介して送信される２個のＣＱＩ  ＲＳは、互いに異なるコードにより区分される、請求項５に記載の方法。
【請求項７】
前記第１の周波数を有する２個のリソース要素と第３の周波数を有する２個のリソース要素は、周波数領域で隣接する、請求項６に記載の方法。
【請求項８】
前記第２の周波数を有する２個のリソース要素と第４の周波数を有する２個のリソース要素は、周波数領域で隣接する、請求項７に記載の方法。
【請求項９】
前記２個の連続するＯＦＤＭシンボルは、前記サブフレームの第１のスロットまたは第２のスロットに含まれる、請求項１に記載の方法。
【発明の詳細な説明】
【技術分野】
【０００１】
本発明は、無線通信に関し、より詳しくは、多重アンテナシステムにおいて参照信号を送信する方法及び装置に関する。
【背景技術】
【０００２】
最近、無線通信システムの性能と通信用量を極大化するために多重入出力（Ｍｕｌｔｉｐｌｅ  Ｉｎｐｕｔ  Ｍｕｌｔｉｐｌｅ  Ｏｕｔｐｕｔ；ＭＩＭＯ）システムが注目を浴びている。ＭＩＭＯ技術は、いままで一つの送信アンテナと一つの受信アンテナを使用したことから脱皮し、多重送信アンテナと多重受信アンテナを採択して送受信データ送信効率を向上させることができる方法である。ＭＩＭＯシステムを多重アンテナ（Ｍｕｌｔｉｐｌｅａｎｔｅｎｎａ）システムとも呼ばれる。ＭＩＭＯ技術は、一つの全体メッセージを受信するために単一アンテナ経路に依存せずに、複数のアンテナで受信されたデータの断片を集めて完成する技術を応用したことである。その結果、特定範囲でデータ送信速度を向上させたり、特定データ送信速度に対してシステム範囲を増加させることができる。
【０００３】
ＭＩＭＯ技術には、送信ダイバーシティ（ｔｒａｎｓｍｉｔ  ｄｉｖｅｒｓｉｔｙ）、空間多重化（ｓｐａｔｉａｌ  ｍｕｌｔｉｐｌｅｘｉｎｇ）、及びビーム形成（ｂｅａｍｆｏｒｍｉｎｇ）などがある。送信ダイバーシティは、多重送信アンテナで同一なデータを送信して送信信頼度を高める技術である。空間多重化は、多重送信アンテナで互いに異なるデータを同時に送信してシステムの帯域幅を増加させずに、高速のデータを送信することができる技術である。ビーム形成は、多重アンテナでチャネル状態による加重値を加えて信号のＳＩＮＲ（Ｓｉｇｎａｌ  ｔｏ  Ｉｎｔｅｒｆｅｒｅｎｃｅ  ｐｌｕｓ  Ｎｏｉｓｅ  Ｒａｔｉｏ）を増加させるために使われる。この時、加重値は加重値ベクトル（ｗｅｉｇｈｔ  ｖｅｃｔｏｒ）または加重値行列（ｗｅｉｇｈｔ  ｍａｔｒｉｘ）で表示されることができ、これをプリコーディングベクトル（ｐｒｅｃｏｄｉｎｇ  ｖｅｃｔｏｒ）またはプリコーディング行列（ｐｒｅｃｏｄｉｎｇ  ｍａｔｒｉｘ）という。
【０００４】
空間多重化は、単一ユーザに対する空間多重化と多重ユーザに対する空間多重化とがある。単一ユーザに対する空間多重化はＳＵ−ＭＩＭＯ（Ｓｉｎｇｌｅ  Ｕｓｅｒ  ＭＩＭＯ）とも呼ばれ、多重ユーザに対する空間多重化はＳＤＭＡ（Ｓｐａｔｉａｌ  Ｄｉｖｉｓｉｏｎ  Ｍｕｌｔｉｐｌｅ  Ａｃｃｅｓｓ）あるいはＭＵ−ＭＩＭＯ（Ｍｕｌｔｉ  Ｕｓｅｒ  ＭＩＭＯ）とも呼ばれる。ＭＩＭＯチャネルの容量はアンテナ数に比例して増加する。ＭＩＭＯチャネルは独立チャネルに分解されることができる。送信アンテナの数をＮｔ、受信アンテナの数をＮｒとする時、独立チャネルの数ＮｉはＮｉ≦ｍｉｎ｛Ｎｔ，Ｎｒ｝になる。各々の独立チャネルは空間階層（ｓｐａｔｉａｌ  ｌａｙｅｒ）といえる。ランク（ｒａｎｋ）は、ＭＩＭＯチャネル行列の零でない固有値（ｎｏｎ−ｚｅｒｏ  ｅｉｇｅｎｖａｌｕｅ）の数で、多重化されることができる空間ストリームの数で定義されることができる。
【０００５】
無線通信システムでは、データの送／受信、システム同期獲得、チャネル情報フィードバックなどのためにアップリンクチャネルまたはダウンリンクチャネルを推定する必要がある。チャネル推定とは、フェーディングによる急激な環境変化によって生じる信号の歪曲を補償して送信信号を復元する過程を意味する。一般的にチャネル推定のために送信機と受信機の両方とも知っている参照信号（ｒｅｆｅｒｅｎｃｅ  ｓｉｇｎａｌ）が必要である。
【０００６】
多重アンテナシステムでは各アンテナ毎に互いに異なるチャネルを経ることができるため、各アンテナを考慮して参照信号の配置構造を設計する必要がある。従来、基地局から端末にダウンリンク信号を送信する場合、最大４個のアンテナを使用することを予定して参照信号を配置した。然しながら、次世代無線通信システムではより多いアンテナ、例えば、最大８個のアンテナを使用してダウンリンク信号を送信することができる。このような場合、どのような方式に参照信号を配置して送信するかが問題になる。
【発明の概要】
【発明が解決しようとする課題】
【０００７】
多重アンテナシステムにおける参照信号を送信する方法及び装置を提供しようとする。
【課題を解決するための手段】
【０００８】
多重アンテナシステムにおける参照信号送信方法は、複数のＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）シンボルを含むサブフレームで少なくとも一個のＯＦＤＭシンボルを選択する段階；選択された前記少なくとも一個のＯＦＤＭシンボルに複数のアンテナの各々に対するチャネル状態を測定することができるＣＱＩ  ＲＳ（Ｃｈａｎｎｅｌ  Ｑｕａｌｉｔｙ  Ｉｎｄｉｃａｔｉｏｎ  Ｒｅｆｅｒｅｎｃｅ  Ｓｉｇｎａｌ）を割り当てる段階；及び、前記ＣＱＩ  ＲＳを送信する段階；を含み、前記ＣＱＩ  ＲＳは、セル内の全ての端末に共通的に送信される共用参照信号または前記セル内の特定端末に送信される専用参照信号が割り当てられるＯＦＤＭシンボルと重ならないＯＦＤＭシンボルに割り当てられることを特徴とする。
例えば、本発明は以下の項目を提供する。
（項目１）
多重アンテナシステムにおける参照信号送信方法は、
複数のＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）シンボルを含むサブフレームで少なくとも一個のＯＦＤＭシンボルを選択する段階；
選択された上記少なくとも一個のＯＦＤＭシンボルに複数のアンテナの各々に対するチャネル状態を測定することができるＣＱＩ  ＲＳ（Ｃｈａｎｎｅｌ  Ｑｕａｌｉｔｙ  Ｉｎｄｉｃａｔｉｏｎ  Ｒｅｆｅｒｅｎｃｅ  Ｓｉｇｎａｌ）を割り当てる段階；及び、
上記ＣＱＩ  ＲＳを送信する段階；を含み、
上記ＣＱＩ  ＲＳは、セル内の全ての端末に共通的に送信される共用参照信号または上記セル内の特定端末に送信される専用参照信号が割り当てられるＯＦＤＭシンボルと重ならないＯＦＤＭシンボルに割り当てられることを特徴とする多重アンテナシステムにおける参照信号送信方法。
（項目２）
上記ＣＱＩ  ＲＳは、上記サブフレーム内で一個または２個のＯＦＤＭシンボルに割り当てられることを特徴とする項目１に記載の多重アンテナシステムにおける参照信号送信方法。
（項目３）
上記一個のＯＦＤＭシンボルは、ノーマルＣＰ（ｎｏｒｍａｌ  ｃｙｃｌｉｃ  ｐｒｅｆｉｘ）の場合、ＯＦＤＭシンボル３、５、６、８、９、１０、１２、１３のうちいずれか一つであることを特徴とする項目２に記載の多重アンテナシステムにおける参照信号送信方法。ここで、ＯＦＤＭシンボルＮ（Ｎは、０または自然数）は、上記サブフレーム内の１４個ＯＦＤＭシンボルをＯＦＤＭシンボル０乃至１３で表す場合、Ｎ番目のＯＦＤＭシンボルを意味する。
（項目４）
上記一個のＯＦＤＭシンボルは、拡張ＣＰ（ｅｘｔｅｎｄｅｄ  ＣＰ）の場合、ＯＦＤＭシンボル４、５、７、８、１０、１１のうちいずれか一つであることを特徴とする項目２に記載の多重アンテナシステムにおける参照信号送信方法。
（項目５）
上記ＣＱＩ  ＲＳは、上記一個のＯＦＤＭシンボルにおいて、８個、６個、４個、２個または１個のリソース要素（ｒｅｓｏｕｒｃｅ  ｅｌｅｍｅｎｔ）に割り当てられることを特徴とする項目２に記載の多重アンテナシステムにおける参照信号送信方法。
（項目６）
上記ＣＱＩ  ＲＳは、８個、４個、２個または１個のコードを適用して多重化されることを特徴とする項目２に記載の多重アンテナシステムにおける参照信号送信方法。
（項目７）
上記ＣＱＩ  ＲＳは、上記２個のＯＦＤＭシンボルにおいて、１６個、１２個、８個、４個、２個または１個のリソース要素（ｒｅｓｏｕｒｃｅ  ｅｌｅｍｅｎｔ）に割り当てられることを特徴とする項目２に記載の多重アンテナシステムにおける参照信号送信方法。
（項目８）
端末にＣＱＩ  ＲＳ設定指示子（ＣＱＩ  ＲＳ  ｃｏｎｆｉｇｕｒａｔｉｏｎ  ｉｎｄｉｃａｔｏｒ）を送信する段階をさらに含み、上記ＣＱＩ  ＲＳ設定指示子は、上記ＣＱＩ  ＲＳが送信されるサブフレーム、上記ＣＱＩ  ＲＳが割り当てられる無線リソース情報を含むことを特徴とする項目１に記載の多重アンテナシステムにおける参照信号送信方法。
（項目９）
上記多重アンテナシステムは、８個の送信アンテナを含むことを特徴とする項目１に記載の多重アンテナシステムにおける参照信号送信方法。
【発明の効果】
【０００９】
多重アンテナシステムで従来のアンテナより多い数のアンテナに対応する参照信号を可用することができる無線リソースによって多様な方式に配置して送信することができる。即ち、無線通信システムの状況によって適応的に参照信号を送信することができる。
【図面の簡単な説明】
【００１０】
【図１】無線通信システムを示すブロック図である。
【図２】無線フレームの構造を示す。
【図３】一つのダウンリンクスロットに対するリソースグリッド（ｒｅｓｏｕｒｃｅ  ｇｒｉｄ）を示す。
【図４】サブフレームの構造を示す。
【図５】１個のアンテナに対する共用参照信号構造の一例を示す。
【図６】２個のアンテナに対する共用参照信号構造の一例を示す。
【図７】ノーマルＣＰが適用されたサブフレームで４個のアンテナに対する共用参照信号構造の一例を示す。
【図８】拡張ＣＰが適用されたサブフレームで４個のアンテナに対する共用参照信号構造の一例を示す。
【図９】ノーマルＣＰが適用されたサブフレームで専用参照信号構造の一例を示す。
【図１０】拡張ＣＰが適用されたサブフレームで専用参照信号構造の一例を示す。
【図１１】本発明の一実施例に係る多重アンテナシステムの参照信号送信方法を示す。
【図１２】一個のＯＦＤＭシンボルで４個のリソース要素にＣＱＩ  ＲＳを配置する例を示す。
【図１３】一個のＯＦＤＭシンボルで４個のリソース要素に２個のＣＱＩ  ＲＳを配置する例を示す。
【図１４】一個のＯＦＤＭシンボルで４個のリソース要素に４個のＣＱＩ  ＲＳを配置する例を示す。
【図１５】図１４で説明したＣＱＩ  ＲＳ配置方法をサブフレームに適用する例を示す。
【図１６】一個のＯＦＤＭシンボルで６個のリソース要素にＣＱＩ  ＲＳを配置する例を示す。
【図１７】図１６で説明したＣＱＩ  ＲＳ配置方法をサブフレームに適用した一例を示す。
【図１８】サブフレーム内の一個のＯＦＤＭシンボルでＣＱＩ  ＲＳが送信され、一つのリソースブロックに該当する周波数帯域で８個のリソース要素にＣＱＩ  ＲＳを配置する一例を示す。
【図１９】サブフレーム内の一個のＯＦＤＭシンボルでＣＱＩ  ＲＳが送信され、一つのリソースブロックに該当する周波数帯域で８個のリソース要素にＣＱＩ  ＲＳを配置する他の例を示す。
【図２０】サブフレーム内の一個のＯＦＤＭシンボルでＣＱＩ  ＲＳが送信され、一つのリソースブロックに該当する周波数帯域で８個のリソース要素に２個のＣＱＩ  ＲＳを配置する例を示す。
【図２１】サブフレーム内の一個のＯＦＤＭシンボルでＣＱＩ  ＲＳが送信され、一つのリソースブロックに該当する周波数帯域で８個のリソース要素に２個のＣＱＩ  ＲＳを配置する他の例を示す。
【図２２】サブフレーム内の一個のＯＦＤＭシンボルでＣＱＩ  ＲＳが送信され、一つのリソースブロックに該当する周波数帯域で８個のリソース要素に４個のＣＱＩ  ＲＳを配置する他の例を示す。
【図２３】サブフレーム内の一個のＯＦＤＭシンボルでＣＱＩ  ＲＳが送信され、一つのリソースブロックに該当する周波数帯域で８個のリソース要素に４個のＣＱＩ  ＲＳを配置する他の例を示す。
【図２４】サブフレーム内の一個のＯＦＤＭシンボルでＣＱＩ  ＲＳが送信され、一つのリソースブロックに該当する周波数帯域で８個のリソース要素に８個のＣＱＩ  ＲＳを配置する例を示す。
【図２５】サブフレーム内の一個のＯＦＤＭシンボルでＣＱＩ  ＲＳが送信され、一つのリソースブロックに該当する周波数帯域で８個のリソース要素に８個のＣＱＩ  ＲＳを配置する他の例を示す。
【図２６】図２２で説明したＣＱＩ  ＲＳ配置方法をサブフレームに適用する例を示す。
【図２７】図２４で説明したＣＱＩ  ＲＳ配置方法をサブフレームに適用する例を示す。
【図２８】サブフレーム内で８個のリソース要素に８個のＣＱＩ  ＲＳを配置する例を示す。
【図２９】サブフレーム内で８個のリソース要素に８個のＣＱＩ  ＲＳを配置する例を示す。
【図３０】サブフレーム内で８個のリソース要素に８個のＣＱＩ  ＲＳを配置する例を示す。
【図３１】サブフレーム内で８個のリソース要素に８個のＣＱＩ  ＲＳを配置する例を示す。
【図３２】サブフレーム内で８個のリソース要素に８個のＣＱＩ  ＲＳを配置する例を示す。
【図３３】サブフレーム内で８個のリソース要素に８個のＣＱＩ  ＲＳを配置する例を示す。
【図３４】サブフレーム内の２個のＯＦＤＭシンボルでＣＱＩ  ＲＳが送信され、一つのリソースブロックに該当する周波数帯域で総４個のリソース要素にＣＱＩ  ＲＳを配置する例を示す。
【図３５】２個のＯＦＤＭシンボルで総４個のリソース要素に２個のＣＱＩ  ＲＳを配置する例を示す。
【図３６】２個のＯＦＤＭシンボルで総４個のリソース要素に４個のＣＱＩ  ＲＳを配置する例を示す。
【図３７】サブフレーム内の２個のＯＦＤＭシンボルで４個のリソース要素に４個のＣＱＩ  ＲＳを配置する例を示す。
【図３８】サブフレーム内の２個のＯＦＤＭシンボルで４個のリソース要素にＣＱＩ  ＲＳを配置し、各ＯＦＤＭシンボルでＣＱＩ  ＲＳが配置されたリソース要素のパターンが同一な例を示す。
【図３９】サブフレーム内の２個のＯＦＤＭシンボルで総４個のリソース要素に２個のＣＱＩ  ＲＳを配置する例を示す。
【図４０】サブフレーム内の２個のＯＦＤＭシンボルで総４個のリソース要素に４個のＣＱＩ  ＲＳを配置する例を示す。
【図４１】サブフレーム内の２個のＯＦＤＭシンボルでＣＱＩ  ＲＳが送信され、一つのリソースブロックに該当する周波数帯域で８個のリソース要素にＣＱＩ  ＲＳを配置する一例を示す。
【図４２】サブフレーム内の２個のＯＦＤＭシンボルで８個のリソース要素にＣＱＩ  ＲＳを配置する他の例を示す。
【図４３】サブフレーム内の２個のＯＦＤＭシンボルで８個のリソース要素に２個のＣＱＩ  ＲＳを配置する例を示す。
【図４４】サブフレーム内の２個のＯＦＤＭシンボルで８個のリソース要素に２個のＣＱＩ  ＲＳを配置する例を示す。
【図４５】サブフレーム内の２個のＯＦＤＭシンボルで８個のリソース要素に４個のＣＱＩ  ＲＳを配置する例を示す。
【図４６】サブフレーム内の２個のＯＦＤＭシンボルで８個のリソース要素に４個のＣＱＩ  ＲＳを配置する例を示す。
【図４７】サブフレーム内の２個のＯＦＤＭシンボルで８個のリソース要素に４個のＣＱＩ  ＲＳを配置する例を示す。
【図４８】サブフレーム内の２個のＯＦＤＭシンボルでＣＱＩ  ＲＳが送信され、総８個のリソース要素に４個のＣＱＩ  ＲＳを配置する例を示す。
【図４９】サブフレーム内の２個のＯＦＤＭシンボルでＣＱＩ  ＲＳが送信され、総８個のリソース要素に４個のＣＱＩ  ＲＳを配置する他の例を示す。
【図５０】サブフレーム内の２個のＯＦＤＭシンボルでＣＱＩ  ＲＳが送信され、総８個のリソース要素に８個のＣＱＩ  ＲＳを配置する例を示す。
【図５１】サブフレーム内の２個のＯＦＤＭシンボルでＣＱＩ  ＲＳが送信され、総８個のリソース要素に８個のＣＱＩ  ＲＳを配置する例を示す。
【図５２】時間領域で一つのサブフレーム、周波数領域で１２個の副搬送波を含むリソース領域に対して２個のＯＦＤＭシンボルでＣＱＩ  ＲＳが送信され、総８個のリソース要素に８個のＣＱＩ  ＲＳを配置する例を示す。
【図５３】時間領域で一つのサブフレーム、周波数領域で１２個の副搬送波を含むリソース領域に対して２個のＯＦＤＭシンボルでＣＱＩ  ＲＳが送信され、総８個のリソース要素に８個のＣＱＩ  ＲＳを配置する例を示す。
【図５４】時間領域で一つのサブフレーム、周波数領域で１２個の副搬送波を含むリソース領域に対して２個のＯＦＤＭシンボルでＣＱＩ  ＲＳが送信され、総８個のリソース要素に８個のＣＱＩ  ＲＳを配置する例を示す。
【図５５】時間領域で一つのサブフレーム、周波数領域で１２個の副搬送波を含むリソース領域に対して２個のＯＦＤＭシンボルでＣＱＩ  ＲＳが送信され、総８個のリソース要素に８個のＣＱＩ  ＲＳを配置する例を示す。
【図５６】時間領域で一つのサブフレーム、周波数領域で１２個の副搬送波を含むリソース領域に対して２個のＯＦＤＭシンボルでＣＱＩ  ＲＳが送信され、総８個のリソース要素に８個のＣＱＩ  ＲＳを配置する例を示す。
【図５７】時間領域で一つのサブフレーム、周波数領域で１２個の副搬送波を含むリソース領域に対して２個のＯＦＤＭシンボルでＣＱＩ  ＲＳが送信され、総８個のリソース要素に８個のＣＱＩ  ＲＳを配置する例を示す。
【図５８】時間領域で一つのサブフレーム、周波数領域で１２個の副搬送波を含むリソース領域に対して２個のＯＦＤＭシンボルでＣＱＩ  ＲＳが送信され、総８個のリソース要素に８個のＣＱＩ  ＲＳを配置する例を示す。
【図５９】時間領域で一つのサブフレーム、周波数領域で１２個の副搬送波を含むリソース領域に対して２個のＯＦＤＭシンボルでＣＱＩ  ＲＳが送信され、総８個のリソース要素に８個のＣＱＩ  ＲＳを配置する例を示す。
【図６０】時間領域で一つのサブフレーム、周波数領域で１２個の副搬送波を含むリソース領域に対して２個のＯＦＤＭシンボルでＣＱＩ  ＲＳが送信され、総８個のリソース要素に８個のＣＱＩ  ＲＳを配置する例を示す。
【図６１】時間領域で一つのサブフレーム、周波数領域で１２個の副搬送波を含むリソース領域に対して２個のＯＦＤＭシンボルでＣＱＩ  ＲＳが送信され、総８個のリソース要素に８個のＣＱＩ  ＲＳを配置する例を示す。
【図６２】時間領域で一つのサブフレーム、周波数領域で１２個の副搬送波を含むリソース領域に対して２個のＯＦＤＭシンボルでＣＱＩ  ＲＳが送信され、総８個のリソース要素に８個のＣＱＩ  ＲＳを配置する例を示す。
【図６３】時間領域で一つのサブフレーム、周波数領域で１２個の副搬送波を含むリソース領域に対して２個のＯＦＤＭシンボルでＣＱＩ  ＲＳが送信され、総８個のリソース要素に８個のＣＱＩ  ＲＳを配置する例を示す。
【図６４】時間領域で一つのサブフレーム、周波数領域で１２個の副搬送波を含むリソース領域に対して２個のＯＦＤＭシンボルでＣＱＩ  ＲＳが送信され、総８個のリソース要素に８個のＣＱＩ  ＲＳを配置する例を示す。
【図６５】サブフレーム内の２個のＯＦＤＭシンボルに総１２個のリソース要素にＣＱＩ  ＲＳを配置する例を示す。
【図６６】サブフレーム内の２個のＯＦＤＭシンボルに総１６個のリソース要素にＣＱＩ  ＲＳを配置する例を示す。
【図６７】サブフレーム内の２個のＯＦＤＭシンボルに総１６個のリソース要素に２個のＣＱＩ  ＲＳを配置する例を示す。
【図６８】サブフレーム内の２個のＯＦＤＭシンボルに総１６個のリソース要素に２個のＣＱＩ  ＲＳを配置する他の例を示す。
【図６９】サブフレーム内の２個のＯＦＤＭシンボルに総１６個のリソース要素に２個のＣＱＩ  ＲＳを配置する他の例を示す。
【図７０】サブフレーム内の２個のＯＦＤＭシンボルに総１６個のリソース要素に４個のＣＱＩ  ＲＳを配置する例を示す。
【図７１】サブフレーム内の２個のＯＦＤＭシンボルに総１６個のリソース要素に４個のＣＱＩ  ＲＳを配置する例を示す。
【図７２】サブフレーム内の２個のＯＦＤＭシンボルに総１６個のリソース要素に８個のＣＱＩ  ＲＳを配置する例を示す。
【図７３】サブフレーム内の２個のＯＦＤＭシンボルに総１６個のリソース要素に８個のＣＱＩ  ＲＳを配置する例を示す。
【図７４】時間領域で一つのサブフレーム、周波数領域で１２個の副搬送波を含むリソース領域に対して２個のＯＦＤＭシンボルでＣＱＩ  ＲＳが送信され、総１６個のリソース要素に４個のＣＱＩ  ＲＳを配置する例を示す。
【図７５】時間領域で一つのサブフレーム、周波数領域で１２個の副搬送波を含むリソース領域に対して２個のＯＦＤＭシンボルでＣＱＩ  ＲＳが送信され、総１６個のリソース要素に８個のＣＱＩ  ＲＳを配置する例を示す。
【発明を実施するための形態】
【００１１】
図１は、無線通信システムを示すブロック図である。これはＥ−ＵＭＴＳ（Ｅｖｏｌｖｅｄ−Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ）の網構造である。Ｅ−ＵＭＴＳシステムは、ＬＴＥ（Ｌｏｎｇ  Ｔｅｒｍ  Ｅｖｏｌｕｔｉｏｎ）システムということもできる。無線通信システムは、音声、パケットデータなどのような多様な通信サービスを提供するために広く配置される。
【００１２】
図１を参照すると、Ｅ−ＵＴＲＡＮ（Ｅｖｏｌｖｅｄ−ＵＭＴＳ  Ｔｅｒｒｅｓｔｒｉａｌ  Ｒａｄｉｏ  Ａｃｃｅｓｓ  Ｎｅｔｗｏｒｋ）は、制御平面（ｃｏｎｔｒｏｌ  ｐｌａｎｅ）とユーザ平面（ｕｓｅｒ  ｐｌａｎｅ）とを提供する基地局（Ｂａｓｅ  Ｓｔａｔｉｏｎ；ＢＳ）２０を含む。
【００１３】
端末（Ｕｓｅｒ  Ｅｑｕｉｐｍｅｎｔ；ＵＥ）１０は、固定されたり移動性を有することができ、ＭＳ（Ｍｏｂｉｌｅ  ｓｔａｔｉｏｎ）、ＵＴ（Ｕｓｅｒ  Ｔｅｒｍｉｎａｌ）、ＳＳ（Ｓｕｂｓｃｒｉｂｅｒ  Ｓｔａｔｉｏｎ）、無線機器（Ｗｉｒｅｌｅｓｓ  Ｄｅｖｉｃｅ）等、他の用語で呼ばれることができる。基地局２０は、一般的に端末１０と通信する固定局（ｆｉｘｅｄ  ｓｔａｔｉｏｎ）を意味し、ｅＮＢ（ｅｖｏｌｖｅｄ−ＮｏｄｅＢ）、ＢＴＳ（Ｂａｓｅ  Ｔｒａｎｓｃｅｉｖｅｒ  Ｓｙｓｔｅｍ）、アクセスポイント（Ａｃｃｅｓｓ  Ｐｏｉｎｔ）等、他の用語で呼ばれることができる。一つの基地局２０は、少なくとも一つのセルに対してサービスを提供することができる。セルは、基地局２０が通信サービスを提供する領域である。基地局２０間には、ユーザトラフィックあるいは制御トラフィック送信のためのインターフェースが使われることもできる。以下、ダウンリンク（ｄｏｗｎｌｉｎｋ）は基地局２０から端末１０への送信を意味し、アップリンク（ｕｐｌｉｎｋ）は端末１０から基地局２０への送信を意味する。
【００１４】
基地局２０はＸ２インターフェースを介して互いに連結されることができる。基地局２０は、Ｓ１インターフェースを介してＥＰＣ（Ｅｖｏｌｖｅｄ  Ｐａｃｋｅｔ  Ｃｏｒｅ）、より詳しくは、ＭＭＥ（Ｍｏｂｉｌｉｔｙ  Ｍａｎａｇｅｍｅｎｔ  Ｅｎｔｉｔｙ）／Ｓ−ＧＷ（Ｓｅｒｖｉｎｇ  Ｇａｔｅｗａｙ）３０と連結される。Ｓ１インターフェースは、基地局２０とＭＭＥ／Ｓ−ＧＷ３０との間に多対多関係（ｍａｎｙ−ｔｏ−ｍａｎｙ−ｒｅｌａｔｉｏｎ）をサポートする。
【００１５】
端末とネットワークとの間の無線インターフェースプロトコル（ｒａｄｉｏ  ｉｎｔｅｒｆａｃｅ  ｐｒｏｔｏｃｏｌ）の階層は、通信システムで広く知られた開放型システム間相互接続（Ｏｐｅｎ  Ｓｙｓｔｅｍ  Ｉｎｔｅｒｃｏｎｎｅｃｔｉｏｎ；ＯＳＩ）モデルの下位３個階層に基づいて第１の階層（Ｌ１）、第２の階層（Ｌ２）、第３の階層（Ｌ３）に区分されることができる。第１の階層は、物理階層（ＰＨＹ（ｐｈｙｓｉｃａｌ）  ｌａｙｅｒ）である。第２の階層は、ＭＡＣ（Ｍｅｄｉｕｍ  Ａｃｃｅｓｓ  Ｃｏｎｔｒｏｌ）階層、ＲＬＣ（Ｒａｄｉｏ  Ｌｉｎｋ  Ｃｏｎｔｒｏｌ）階層、及びＰＤＣＰ（Ｐａｃｋｅｔ  Ｄａｔａ  Ｃｏｎｖｅｒｇｅｎｃｅ  Ｐｒｏｔｏｃｏｌ）階層に分離されることができる。第３の階層は、ＲＲＣ（Ｒａｄｉｏ  Ｒｅｓｏｕｒｃｅ  Ｃｏｎｔｒｏｌ）階層である。
【００１６】
無線通信システムは、ＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）／ＯＦＤＭＡ（Ｏｒｔｈｏｇｏｎａｌ  Ｆｒｅｑｕｅｎｃｙ  Ｄｉｖｉｓｉｏｎ  ＭｕｌｔｉｐｌｅＡｃｃｅｓｓ）基盤システムである。ＯＦＤＭは複数の直交副搬送波を用いる。ＯＦＤＭは、ＩＦＦＴ（ｉｎｖｅｒｓｅ  ｆａｓｔ  Ｆｏｕｒｉｅｒ  Ｔｒａｎｓｆｏｒｍ）とＦＦＴ（ｆａｓｔ  Ｆｏｕｒｉｅｒ  Ｔｒａｎｓｆｏｒｍ）との間の直交性特性を用いる。送信機はデータにＩＦＦＴを実行して送信する。受信機は受信信号にＦＦＴを実行して元データを復元する。送信機は多重副搬送波を結合するためにＩＦＦＴを使用し、受信機は多重副搬送波を分離するために対応するＦＦＴを使用する。
【００１７】
無線通信システムは多重アンテナ（ｍｕｌｔｉｐｌｅ  ａｎｔｅｎｎａ）システムである。多重アンテナシステムは、多重入出力（ｍｕｌｔｉｐｌｅ−ｉｎｐｕｔ  ｍｕｌｔｉｐｌｅ−ｏｕｔｐｕｔ；ＭＩＭＯ）システムであり、或いは多重入力シングル出力（ｍｕｌｔｉｐｌｅ−ｉｎｐｕｔ  ｓｉｎｇｌｅ−ｏｕｔｐｕｔ；ＭＩＳＯ）システムまたはシングル入力シングル出力（ｓｉｎｇｌｅ−ｉｎｐｕｔ  ｓｉｎｇｌｅ−ｏｕｔｐｕｔ；ＳＩＳＯ）システムまたはシングル入力多重出力（ｓｉｎｇｌｅ−ｉｎｐｕｔ  ｍｕｌｔｉｐｌｅ−ｏｕｔｐｕｔ；ＳＩＭＯ）システムである。ＭＩＭＯシステムは複数の送信アンテナと複数の受信アンテナを使用する。ＭＩＳＯシステムは複数の送信アンテナと一つの受信アンテナを使用する。ＳＩＳＯシステムは一つの送信アンテナと一つの受信アンテナを使用する。ＳＩＭＯシステムは一つの送信アンテナと複数の受信アンテナを使用する。
【００１８】
多重アンテナシステムで多重アンテナを用いた技法としては、ランク１でＳＦＢＣ（Ｓｐａｃｅ  Ｆｒｅｑｕｅｎｃｙ  Ｂｌｏｃｋ  Ｃｏｄｅ）、ＳＴＢＣ（Ｓｐａｃｅ  Ｔｉｍｅ  Ｂｌｏｃｋ  Ｃｏｄｅ）のようなＳＴＣ（Ｓｐａｃｅ−Ｔｉｍｅ  Ｃｏｄｉｎｇ）、ＣＤＤ（Ｃｙｃｌｉｃ  Ｄｅｌａｙ  Ｄｉｖｅｒｓｉｔｙ）、ＦＳＴＤ（ｆｒｅｑｕｅｎｃｙ  ｓｗｉｔｃｈｅｄ  ｔｒａｎｓｍｉｔ  ｄｉｖｅｒｓｉｔｙ）、ＴＳＴＤ（ｔｉｍｅ  ｓｗｉｔｃｈｅｄ  ｔｒａｎｓｍｉｔ  ｄｉｖｅｒｓｉｔｙ）などが使われることができる。ランク２以上では空間多重化（Ｓｐａｔｉａｌ  Ｍｕｌｔｉｐｌｅｘｉｎｇ；ＳＭ）、ＧＣＤＤ（Ｇｅｎｅｒａｌｉｚｅｄ  Ｃｙｃｌｉｃ  Ｄｅｌａｙ  Ｄｉｖｅｒｓｉｔｙ）、Ｓ−ＶＡＰ（Ｓｅｌｅｃｔｉｖｅ  Ｖｉｒｔｕａｌ  Ａｎｔｅｎｎａ  Ｐｅｒｍｕｔａｔｉｏｎ）などが使われることができる。ＳＦＢＣは、空間領域と周波数領域での選択性を効率的に適用し、該当次元でのダイバーシティ利得と多重ユーザスケジューリング利得まで確保することができる技法である。ＳＴＢＣは、空間領域と時間領域での選択性を適用する技法である。ＦＳＴＤは、多重アンテナで送信される信号を周波数で区分する技法であり、ＴＳＴＤは、多重アンテナで送信される信号を時間で区分する技法である。空間多重化は、アンテナ別に互いに異なるデータを送信して送信率を高める技法である。ＧＣＤＤは、時間領域と周波数領域での選択性を適用する技法である。Ｓ−ＶＡＰは、単一プリコーディング行列を使用する技法であり、空間ダイバーシティまたは空間多重化で多重コードワードをアンテナ間に混合するＭＣＷ（Ｍｕｌｔｉ  Ｃｏｄｅｗｏｒｄ）Ｓ−ＶＡＰと単一コードワードを使用するＳＣＷ（Ｓｉｎｇｌｅ  Ｃｏｄｅｗｏｒｄ）Ｓ−ＶＡＰとがある。
【００１９】
図２は、無線フレームの構造を示す。
【００２０】
図２を参照すると、無線フレーム（Ｒａｄｉｏ  Ｆｒａｍｅ）は１０個のサブフレーム（Ｓｕｂｆｒａｍｅ）で構成され、一つのサブフレームは２個のスロット（Ｓｌｏｔ）で構成されることができる。無線フレーム内のスロットは０番から１９番までのスロット番号が付けられる。一つのサブフレームの送信にかかる時間をＴＴＩ（ｔｒａｎｓｍｉｓｓｉｏｎ  ｔｉｍｅ  ｉｎｔｅｒｖａｌ）という。ＴＴＩはデータ送信のためのスケジューリング単位を意味する。例えば、一つの無線フレームの長さは１０ｍｓであり、一つのサブフレームの長さは１ｍｓであり、一つのスロットの長さは０．５ｍｓである。
【００２１】
無線フレームの構造は例示に過ぎず、無線フレームに含まれるサブフレームの数またはサブフレームに含まれるスロットの数は多様に変更されることができる。
【００２２】
図３は、一つのダウンリンクスロットに対するリソースグリッド（ｒｅｓｏｕｒｃｅ  ｇｒｉｄ）を示す。
【００２３】
図３を参照すると、ダウンリンクスロットは、時間領域（ｔｉｍｅ  ｄｏｍａｉｎ）で複数のＯＦＤＭシンボルを含み、周波数領域（ｆｒｅｑｕｅｎｃｙ  ｄｏｍａｉｎ）でＮＤＬリソースブロック（Ｒｅｓｏｕｒｃｅ  Ｂｌｏｃｋ；ＲＢ）を含む。ダウンリンクスロットに含まれるリソースブロックの数ＮＤＬはセルで設定されるダウンリンク送信帯域幅（ｂａｎｄｗｉｄｔｈ）に従属する。例えば、ＬＴＥシステムにおけるＮＤＬは６０乃至１１０のうちいずれか一つである。一つのリソースブロックは周波数領域で複数の副搬送波を含む。
【００２４】
リソースグリッド上の各要素（ｅｌｅｍｅｎｔ）をリソース要素（Ｒｅｓｏｕｒｃｅ  Ｅｌｅｍｅｎｔ）という。リソースグリッド上のリソース要素はスロット内のインデックス対（ｐａｉｒ）（ｋ，ｌ）により識別されることができる。ここで、ｋ（ｋ＝０，．．．，ＮＤＬ×１２−１）は周波数領域の副搬送波インデックスであり、ｌ（ｌ＝０，．．．，６）は時間領域のＯＦＤＭシンボルインデックスである。
【００２５】
ここで、一つのリソースブロックは、時間領域で７ＯＦＤＭシンボル、周波数領域で１２副搬送波で構成される７×１２リソース要素を含むことを例示的に記述するが、リソースブロック内のＯＦＤＭシンボルの数と副搬送波の数はこれに制限されない。ＯＦＤＭシンボルの数と副搬送波の数はサイクリックプレフィックス（Ｃｙｃｌｉｃ  Ｐｒｅｆｉｘ；以下、ＣＰという）の長さ、周波数間隔（ｆｒｅｑｕｅｎｃｙ  ｓｐａｃｉｎｇ）などによって多様に変更されることができる。例えば、一般（ｎｏｒｍａｌ）ＣＰの場合、ＯＦＤＭシンボルの数は７であり、拡張された（ｅｘｔｅｎｄｅｄ）ＣＰの場合、ＯＦＤＭシンボルの数は６である。一個のＯＦＤＭシンボルで副搬送波の数は１２８、２５６、５１２、１０２４、１５３６、及び２０４８のうち一つである。
【００２６】
図４は、サブフレームの構造を示す。
【００２７】
図４を参照すると、サブフレームは２個の連続的な（ｃｏｎｓｅｃｕｔｉｖｅ）スロットを含む。サブフレーム内で、第１のスロットの前方部の３ＯＦＤＭシンボルは、ＰＤＣＣＨが割り当てられる制御領域（ｃｏｎｔｒｏｌ  ｒｅｇｉｏｎ）であり、残りのＯＦＤＭシンボルは、ＰＤＳＣＨが割り当てられるデータ領域（ｄａｔａ  ｒｅｇｉｏｎ）である。ＰＤＣＣＨは、端末にＰＣＨとＤＬ−ＳＣＨのリソース割当及びＤＬ−ＳＣＨと関連したＨＡＲＱ情報に対して知らせる。ＰＤＣＣＨは、端末にアップリンク送信のリソース割当を知らせるアップリンクスケジューリンググラント（ＵＬ  ｓｃｈｅｄｕｌｉｎｇ  ｇｒａｎｔ）を運ぶことができる。制御領域には、ＰＤＣＣＨの外にもＰＣＦＩＣＨ、ＰＨＩＣＨなどの制御チャネルが割り当てられることができる。ＰＣＦＩＣＨは、端末にサブフレーム内でＰＤＣＣＨの送信に使われるＯＦＤＭシンボルの数を知らせる。ＰＣＦＩＣＨは、サブフレーム毎に送信されることができる。ＰＨＩＣＨは、アップリンク送信に対する応答としてＨＡＲＱ  ＡＣＫ／ＮＡＫ信号を運ぶ。端末はＰＤＣＣＨを介して送信される制御情報をデコーディングしてＰＤＳＣＨを介して送信されるデータ情報を読み込むことができる。ここで、制御領域が３ＯＦＤＭシンボルを含むことは例示に過ぎず、制御領域には２ＯＦＤＭシンボルまたは１ＯＦＤＭシンボルが含まれることができる。サブフレーム内の制御領域が含むＯＦＤＭシンボルの数はＰＣＦＩＣＨを介して知ることができる。
【００２８】
以下、参照信号（Ｒｅｆｅｒｅｎｃｅ  Ｓｉｇｎａｌ；ＲＳ）送信に使われるリソース要素を参照シンボル（ｒｅｆｅｒｅｎｃｅ  ｓｙｍｂｏｌ）という。参照シンボルを除いたリソース要素はデータ送信に使われることができる。データ送信に使われるリソース要素をデータシンボルという。
【００２９】
参照信号は予め定義された参照信号シーケンスがかけられて送信されることができる。例えば、参照信号シーケンスとしてＰＮ（Ｐｓｅｕｄｏ−ｒａｎｄｏｍ）シーケンス、ｍ−シーケンスなどを用いることができる。参照信号シーケンスは、二進（ｂｉｎａｒｙ）シーケンスまたは複素（ｃｏｍｐｌｅｘ）シーケンスを使用することができる。基地局が参照信号シーケンスをかけて送信する場合、端末は隣接セルから受信される参照信号の干渉を減少させてチャネル推定性能を向上させることができる。
【００３０】
参照信号は、共用参照信号（ｃｏｍｍｏｎ  ＲＳ）と専用参照信号（ｄｅｄｉｃａｔｅｄ  ＲＳ）とに区分されることができる。共用参照信号はセル内の全ての端末に送信される参照信号であり、専用参照信号はセル内の特定端末または特定端末グループに送信される参照信号である。共用参照信号をセル特定参照信号（Ｃｅｌｌ−ｓｐｅｃｉｆｉｃ  ＲＳ）ということができ、専用参照信号を端末特定参照信号（ＵＥ−ｓｐｅｃｉｆｉｃ  ＲＳ）ということができる。共用参照信号は全てのダウンリンクサブフレームを介して送信されることができ、端末特定参照信号は端末に割り当てられた特定リソース領域を介して送信されることができる。
【００３１】
端末は、参照信号を介して獲得したチャネル情報を用いてデータ復調及びチャネル品質測定を実行することができる。無線チャネルは、遅延拡散（ｄｅｌａｙ  ｓｐｒｅａｄｉｎｇ）及びドップラー効果による周波数及び時間によって変化は特性を有するため、参照信号は、周波数及び時間選択的チャネル変化を反映することができるように設計されなければならない。また、参照信号の送信によるオーバーヘッドによりデータ送信に影響を受けないように、参照信号は適切なオーバーヘッドを超過しないように設計されなければならない。
【００３２】
４個の送信アンテナ（４Ｔｘ）を有するＬＴＥシステムでは制御チャネルに対してＳＦＢＣ−ＦＳＴＤ技法を使用しつつ４Ｔｘのために定義される参照信号を送信する。端末は参照信号を用いてチャネル情報を獲得した後にデータ復調を実行する。ＬＴＥシステムで連続される１４個または１２個のＯＦＤＭシンボルで構成されるサブフレームの初期２個乃至３個のＯＦＤＭシンボルが制御チャネルに割り当てられ、サブフレームの残りのＯＦＤＭシンボルがデータチャネルに割り当てられる。特に、制御チャネルは、基地局のアンテナ構成によって定義される送信ダイバーシティ技法により送信される。
【００３３】
まず、共用参照信号に対して説明する。
【００３４】
図５は、一個のアンテナに対する共用参照信号構造の一例を示す。図６は、２個のアンテナに対する共用参照信号構造の一例を示す。図７は、ノーマルＣＰが適用されたサブフレームで４個のアンテナに対する共用参照信号構造の一例を示す。図８は、拡張ＣＰが適用されたサブフレームで４個のアンテナに対する共用参照信号構造の一例を示す。これは３ＧＰＰ  ＴＳ  ３６．２１１  Ｖ８．４．０（２００８−０９）  Ｔｅｃｈｎｉｃａｌ  Ｓｐｅｃｉｆｉｃａｔｉｏｎ  Ｇｒｏｕｐ  Ｒａｄｉｏ  Ａｃｃｅｓｓ  Ｎｅｔｗｏｒｋ；Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ（Ｅ−ＵＴＲＡ）；Ｐｈｙｓｉｃａｌ  Ｃｈａｎｎｅｌｓ  ａｎｄ  Ｍｏｄｕｌａｔｉｏｎ（Ｒｅｌｅａｓｅ  ８）の６．１０．１節を参照することができる。
【００３５】
図５乃至図８を参照すると、複数のアンテナを使用する多重アンテナ送信の場合、各アンテナ毎にリソースグリッドが存在し、各アンテナのための少なくとも一つの参照信号が各々のリソースグリッドにマッピングされることができる。各アンテナ別参照信号は参照シンボルで構成される。Ｒｐはｐ番アンテナの参照シンボルを示す（ｐは｛０，１，２，３｝のうちいずれか一つである）。Ｒ０乃至Ｒ３は互いに重複するリソース要素にマッピングされない。
【００３６】
一個のＯＦＤＭシンボルで各Ｒｐは６副搬送波間隔に位置することができる。サブフレーム内のＲ０の数とＲ１の数は同じであり、Ｒ２の数とＲ３の数は同じである。サブフレーム内のＲ２、Ｒ３の数はＲ０、Ｒ１の数より少ない。Ｒｐはｐ番アンテナを介してのみ送信される。アンテナ間干渉を与えないためである。共用参照信号はストリームの個数に関係なしに常にアンテナの個数ほど送信される。共用参照信号はアンテナ毎に独立的な参照信号を有する。共用参照信号のサブフレーム内の周波数領域の位置及び時間領域の位置は端末に関係なしに決められる。共用参照信号にかけられる共用参照信号シーケンスも端末に関係なしに生成される。従って、セル内の全ての端末は共用参照信号を受信することができる。ただし、共用参照信号のサブフレーム内の位置及び共用参照信号シーケンスはセルＩＤによって決められることができる。従って、共用参照信号はセル特定参照信号（ｃｅｌｌ−ｓｐｅｃｉｆｉｃ  ＲＳ）とも呼ばれる。
【００３７】
具体的に、共用参照信号のサブフレーム内の時間領域の位置はアンテナの番号、リソースブロック内のＯＦＤＭシンボルの個数によって決められることができる。共用参照信号のサブフレーム内の周波数領域の位置は、アンテナの番号、セルＩＤ、ＯＦＤＭシンボルインデックス（ｌ）、無線フレーム内のスロット番号などによって決められることができる。
【００３８】
共用参照信号シーケンスは、一つのサブフレーム内のＯＦＤＭシンボル単位に適用されることができる。共用参照信号シーケンスは、セルＩＤ、一つの無線フレーム内のスロット番号、スロット内のＯＦＤＭシンボルインデックス、ＣＰの種類などによって変わることができる。
【００３９】
参照シンボルを含むＯＦＤＭシンボルで各アンテナ別参照シンボルの個数は２個である。サブフレームは、周波数領域でＮＤＬリソースブロックを含むため、一個のＯＦＤＭシンボルで各アンテナ別参照シンボルの個数は２×ＮＤＬである。従って、共用参照信号のシーケンス長さは２×ＮＤＬである。
【００４０】
数式１は、共用参照信号のシーケンスをｒ（ｍ）とする時、ｒ（ｍ）として使われる複素シーケンスの一例を示す。
【００４１】
【数１】
0005542290.tif 000002
【００４２】
ここで、ｎｓは無線フレームでスロット番号であり、ｌはスロットでのＯＦＤＭシンボルの番号を示す。ｍは０，１，．．．，２Ｎｍａｘ，ＤＬ−１である。Ｎｍａｘ，ＤＬは最大帯域幅に該当するリソースブロックの個数である。例えば、ＬＴＥシステムでＮｍａｘ，ＤＬは１１０になる。ｃ（ｉ）はＰＮシーケンスであり、長さ−３１のゴールド（Ｇｏｌｄ）シーケンスにより定義されることができる。数式２は、２×Ｎｍａｘ，ＤＬ長さのシーケンスｃ（ｉ）の一例を示す。
【００４３】
【数２】
0005542290.tif 000003
【００４４】
ここで、ＮＣ＝１６００であり、ｘ１（ｉ）は第１のｍ−シーケンスであり、ｘ２（ｉ）は第２のｍ−シーケンスである。例えば、第１のｍ−シーケンスまたは第２のｍ−シーケンスはＯＦＤＭシンボル毎に、セルＩＤ、一つの無線フレーム内のスロット番号、スロット内のＯＦＤＭシンボルインデックス、ＣＰの種類などによって初期化（ｉｎｉｔｉａｌｉｚａｔｉｏｎ）されることができる。数式３は、初期化ＰＮシーケンスｃｉｎｉｔの一例を示す。
【００４５】
【数３】
0005542290.tif 000004
【００４６】
ここで、ＮＣＰの値は、ノーマルＣＰで１であり、拡張ＣＰで０である。
【００４７】
生成された共用参照信号シーケンスはリソース要素にマッピングされる。数式４は、共用参照信号シーケンスがリソース要素にマッピングされる一例を示す。共用参照信号シーケンスは、スロットｎｓでアンテナｐのための複素変調シンボル（ｃｏｍｐｌｅｘ−ｖａｌｕｅｄ  ｍｏｄｕｌａｔｉｏｎ  ｓｙｍｂｏｌｓ）ａｋ，ｌ（Ｐ）でマッピングされることができる。
【００４８】
【数４】
0005542290.tif 000005
【００４９】
【数５】
0005542290.tif 000006
【００５０】
ここで、υ及びυｓｈｉｆｔは、互いに異なる参照信号のための周波数領域での位置で定義される。υは、数式５のように与えられることができる。
【００５１】
【数６】
0005542290.tif 000007
【００５２】
セル特定周波数シフト（ｃｅｌｌ−ｓｐｅｃｉｆｉｃ  ｆｒｅｑｕｅｎｃｙ  ｓｈｉｆｔ）υｓｈｉｆｔは、数式６のように決められることができる。
【００５３】
【数７】
0005542290.tif 000008
【００５４】
一方、Ｎｍａｘ，ＤＬより小さい帯域幅を有するシステムの場合、２×Ｎｍａｘ，ＤＬ長さに生成された参照信号シーケンスで一定部分のみ選択されて使われることができる。
【００５５】
以下、専用参照信号に対して説明する。
【００５６】
図９は、ノーマルＣＰが適用されたサブフレームで専用参照信号構造の一例を示す。図１０は、拡張ＣＰが適用されたサブフレームで専用参照信号構造の一例を示す。
【００５７】
図９及び図１０を参照すると、ノーマルＣＰが適用された場合、１  ＴＴＩは１４ＯＦＤＭシンボルを含む。拡張ＣＰが適用された場合、１  ＴＴＩは１２ＯＦＤＭシンボルを含む。ここで、Ｒ５は専用参照信号を送信する５番アンテナの参照シンボルを表す。ノーマルＣＰが適用された場合、参照シンボルを含む一個のＯＦＤＭシンボルにおける参照シンボルは４副搬送波間隔に位置される。拡張ＣＰが適用された場合、参照シンボルを含む一個のＯＦＤＭシンボルにおける参照シンボルは３副搬送波間隔に位置される。
【００５８】
専用参照信号はストリームの個数ほど送信される。専用参照信号は、基地局が特定端末にダウンリンク情報をビーム形成して送信する場合に使われることができる。専用参照信号は制御領域に含まれずにデータ領域に含まれることができる。専用参照信号は、ＰＤＳＣＨがマッピングされたリソースブロックを介して送信されることができる。即ち、特定端末が割当を受けたＰＤＳＣＨを介して特定端末に対する専用参照信号が送信される。
【００５９】
専用参照信号のサブフレーム内の周波数領域の位置及び時間領域の位置は、ＰＤＳＣＨ送信のために割り当てられたリソースブロックによって決められることができる。専用参照信号にかけられる専用参照信号シーケンスは、端末ＩＤによって決められることができる。この場合、セル内の端末ＩＤに該当する特定端末のみが専用参照信号を受信することができる。従って、専用参照信号は端末特定参照信号（ＵＥ−ｓｐｅｃｉｆｉｃ  ＲＳ）とも呼ばれる。
【００６０】
具体的に、専用参照信号のサブフレーム内の時間領域の位置は、無線フレーム内のスロット番号、ＣＰの種類によって決められることができる。専用参照信号のサブフレーム内の周波数領域の位置は、ＰＤＳＣＨ送信のために割り当てられたリソースブロック、セルＩＤ、ＯＦＤＭシンボルインデックス（ｌ）、ＣＰの種類などによって決められることができる。
【００６１】
専用参照信号は、共用参照信号と同時に使われることができる。例えば、サブフレーム内の１番目のスロットの３ＯＦＤＭシンボル（ｌ＝０，１，２）を介して制御情報が送信されると仮定する。ＯＦＤＭシンボルインデックスが０、１、２（ｌ＝０，１，２）であるＯＦＤＭシンボルでは共用参照信号を使用し、３個ＯＦＤＭシンボルを除いた残りのＯＦＤＭシンボルでは専用参照信号を使用することができる。
【００６２】
アンテナ構成を増加させた多重アンテナシステムでは増加されたアンテナ構成による参照信号構造及び送信技法が設計されなければならない。例えば、既存の４Ｔｘシステムで８Ｔｘシステムにアンテナ構成が増加される場合、８個の送信アンテナのチャネルを区分することができるように各アンテナの参照信号が時間領域または周波数領域またはコード領域で多重化されて送信されることができる。各アンテナの参照信号は、各送信アンテナに対するチャネル測定のための参照信号である。以下、各送信アンテナに対するチャネル測定のための参照信号をＣＱＩ  ＲＳ（Ｃｈａｎｎｅｌ  ｑｕａｌｉｔｙ  ｍｅａｓｕｒｅｍｅｎｔ  Ｒｅｆｅｒｅｎｃｅ  Ｓｉｇｎａｌ）または簡単にＣＱＩ  ＲＳと呼ぶ。
【００６３】
図１１は、本発明の一実施例に係る多重アンテナシステムの参照信号送信方法を示す。
【００６４】
図１１を参照すると、基地局はＣＱＩ  ＲＳ設定指示子（ＣＱＩ  ＲＳ  ｃｏｎｆｉｇｕｒａｔｉｏｎ  ｉｎｄｉｃａｔｏｒ；即ち、ＣＲ  Ｓｃｏｎｆｉｇｕｒａｔｉｏｎ  ｉｎｄｉｃａｔｏｒ）を端末に送信する（Ｓ１０１）。ＣＱＩ  ＲＳ設定指示子は、ＣＱＩ  ＲＳ（即ち、ＣＱＩ  ＲＳ）が送信されることができる無線リソース情報、例えば、ＣＱＩ  ＲＳが送信されるサブフレーム及び周期情報、時間オフセット、サブフレーム内のＯＦＤＭシンボル及び／またはリソース要素、サブフレーム内のリソース要素パターン、アンテナ情報などのＣＱＩ  ＲＳ設定情報のうち一部または全部を指示することができる。
【００６５】
ＣＱＩ  ＲＳが送信されるサブフレームは、Ｐ−ＳＣＨ（Ｐｒｉｍａｒｙ  Ｓｙｎｃｈｒｏｎｉｚａｔｉｏｎ  Ｃｈａｎｎｅｌ）、Ｓ−ＳＣＨ（Ｓｅｃｏｎｄａｒｙ  Ｓｙｎｃｈｒｏｎｉｚａｔｉｏｎ  Ｃｈａｎｎｅｌ）またはＰ−ＢＣＨ（Ｐｈｙｓｉｃａｌ−Ｂｒｏａｄｃａｓｔ  Ｃｈａｎｎｅｌ）が送信されるサブフレームでないサブフレームである。Ｐ−ＳＣＨはＯＦＤＭシンボル同期またはスロット同期を得るために使われ、Ｐ−ＳＣＨは０番目のスロットと１０番目のスロットの最後のＯＦＤＭシンボルに位置する。即ち、Ｐ−ＳＣＨは０番目のサブフレームと５番目のサブフレームで送信される。Ｓ−ＳＣＨはフレーム同期を得るために使用する。Ｓ−ＳＣＨは０番目のスロットと１０番目のスロットの最後のＯＦＤＭシンボルの直前ＯＦＤＭシンボルに位置する。即ち、Ｓ−ＳＣＨは０番目のサブフレーム及び５番目のサブフレームで送信される。スロット上でＰ−ＳＣＨとＳ−ＳＣＨが配置されるＯＦＤＭシンボルの数や位置は例示に過ぎず、システムによって多様に変更されることができる。Ｐ−ＢＣＨは、無線フレームで０番目のサブフレームに位置する。Ｐ−ＢＣＨは、該当基地局の基本的なシステム構成（ｓｙｓｔｅｍ  ｃｏｎｆｉｇｕｒａｔｉｏｎ）情報を得るために使われる。Ｐ−ＢＣＨは、周期を有して送信されることができ、例えば、４０ｍｓの周期を有することができる。
【００６６】
ＣＱＩ  ＲＳは周期的に送信されることができ、周期情報はこのような周期を示す。例えば、ＣＱＩ  ＲＳは５、１０、２０、５０サブフレームを周期にして反復的に送信されることができる。時間オフセットは、ＣＱＩ  ＲＳの送信が予定されたサブフレームに対するオフセット情報を指示する。例えば、サブフレームｎで送信予定されているＣＱＩ  ＲＳは、時間オフセットが与えられる場合、サブフレームｎ＋０、ｎ＋１、ｎ＋２、ｎ＋３、ｎ＋４のうちいずれか一つで送信されることができる。
【００６７】
アンテナ情報は、既存のシステムで使われるセル特定的参照信号（即ち、共用参照信号）がＣＱＩ  ＲＳとして活用されか否かによって追加的にＣＱＩ  ＲＳが要求されるアンテナに対する情報を指示する。例えば、４個のアンテナを使用する既存システムで使われる共用参照信号を８個のアンテナを使用する新たなシステムでＣＱＩ  ＲＳとして使用することができる。このような場合、既存システムで使われる共用参照信号を８個のアンテナのうち何個のアンテナに適用するかによって追加的にＣＱＩ  ＲＳが要求されるアンテナが変わることができる。８個のアンテナのうち一つのアンテナにのみ既存の共用参照信号を使用する場合、７個のアンテナに対してＣＱＩ  ＲＳが必要である。または、２個／４個のアンテナに既存の共用参照信号を使用する場合、６個／４個のアンテナに対してＣＱＩ  ＲＳが必要である。または、既存システムで使われる共用参照信号を使用せず、８個のアンテナに対してＣＱＩ  ＲＳを定義することもできる。以下、８個のアンテナに対してＣＱＩ  ＲＳを定義する例を説明するが、これは制限でなく、既存の共用参照信号をＣＱＩ  ＲＳとして再活用する場合にも本発明は適用されることができる。
【００６８】
前述した情報のうち少なくともいずれか一つを指示するＣＱＩ  ＲＳ設定指示子は、セル内の全ての端末にブロードキャストされることもでき、特定端末または端末グループにＬ１／Ｌ２信号を介して送信されることもできる。
【００６９】
基地局は、ＣＱＩ  ＲＳ（即ち、ＣＲＳ）を端末に送信する（Ｓ１０２）。基地局がＣＱＩ  ＲＳを送信する場合、サブフレーム内でＣＱＩ  ＲＳが配置される無線リソース、即ち、ＣＱＩ  ＲＳが配置されるサブフレーム内のＯＦＤＭシンボル及び／またはリソース要素、サブフレーム内のリソース要素パターンなどに対しては詳細に後述する。
【００７０】
端末は、ＣＱＩ  ＲＳを受信して各送信アンテナに対するチャネルを測定する（Ｓ１０３）。端末は、チャネル測定後にＣＱＩ（ｃｈａｎｎｅｌ  ｑｕａｌｉｔｙ  ｉｎｄｉｃａｔｏｒ）のようなダウンリンクチャネル測定情報を基地局にフィードバックする（Ｓ１０４）。
【００７１】
以下、サブフレーム内でＣＱＩ  ＲＳが配置されることができる無線リソース及びリソース要素パターンを説明する。
【００７２】
ＣＱＩ  ＲＳは、共用参照信号または専用参照信号が配置される無線リソースを除いた無線リソースに配置されることができる。ノーマルＣＰにおける共用参照信号は、２個のアンテナを使用する送信で０、４、７、１１番目のＯＦＤＭシンボルで送信され、４個のアンテナを使用する送信で追加的に１、８番目のＯＦＤＭシンボルで送信されることができる。専用参照信号は、時間領域で３、６、９、１２番目のＯＦＤＭシンボルで送信されることができる（これは例示に過ぎず、専用参照信号は他のＯＦＤＭシンボルで送信されることもできる。以下、同じである）。従って、ＣＱＩ  ＲＳは、共用参照信号と専用参照信号が配置されるＯＦＤＭシンボルを除いた５、１０、１３番目のＯＦＤＭシンボルのうちいずれか一つに配置されることができ、選択的に８番目のＯＦＤＭシンボルに配置されることができる。
【００７３】
拡張ＣＰにおける共用参照信号は、２個のアンテナを使用する送信で時間領域で０、３、６、９番目のＯＦＤＭシンボルで送信され、４個のアンテナを使用する送信で追加的に１、７番目のＯＦＤＭシンボルで送信されることができる。専用参照信号は、時間領域で４、７、１０番目のＯＦＤＭシンボルで送信されることができる。従って、ＣＱＩ  ＲＳは、共用参照信号と専用参照信号が配置されるＯＦＤＭシンボルを除いた５、８、１１番目のシンボルに配置されることができる。
【００７４】
前述の例とは違って、専用参照信号はシステムによって位置が変わることができる。例えば、専用参照信号は、ＬＴＥ−Ａのようなシステムにおいて、ノーマルＣＰの場合、５、６、１２、１３ＯＦＤＭシンボルに配置されることができ、拡張ＣＰの場合、４、５、１０、１１ＯＦＤＭシンボルに配置されることができる。このような場合、ＣＱＩ  ＲＳは前述した共用参照信号と専用参照信号（ＬＴＥ−Ａに対する）が配置される無線リソースを除いた無線リソースに配置されることができる。
【００７５】
ＣＱＩ  ＲＳはサブフレーム内のＯＦＤＭシンボルのうち少なくとも一個のＯＦＤＭシンボルに配置されて送信されることができる。このようなＯＦＤＭシンボルで総４、６、８、１２または１６個のリソース要素にＣＱＩ  ＲＳが配置されることができる。多重アンテナシステムの場合、各アンテナ別ＣＱＩ  ＲＳを区分する必要があり、これは各アンテナ別ＣＱＩ  ＲＳ間干渉を防止するためである。各アンテナ別ＣＱＩ  ＲＳを区分するためにＦＤＭ（Ｆｒｅｑｕｅｎｃｙ  Ｄｉｖｉｓｉｏｎ  Ｍｕｌｔｉｐｌｅｘｉｎｇ）、ＴＤＭ（Ｔｉｍｅ  Ｄｉｖｉｓｉｏｎ  Ｍｕｌｔｉｐｌｅｘｉｎｇ）またはＣＤＭ（Ｃｏｄｅ  Ｄｉｖｉｓｉｏｎ  Ｍｕｌｔｉｐｌｅｘｉｎｇ）などが使われることができる。ＦＤＭは、各アンテナ別ＣＱＩ  ＲＳが周波数領域で分離されて送信されることである。ＴＤＭは、各アンテナ別ＣＱＩ  ＲＳが時間領域で分離されて送信されることである。ＣＤＭは、各アンテナ別ＣＱＩ  ＲＳに他のシーケンスが使われて送信されることである。ＦＤＭ、ＴＤＭを使用して多重アンテナを介して参照信号を送信する場合、各アンテナ別ＣＱＩ  ＲＳが配置されるリソース要素は重複されない。ＣＤＭを使用する場合、各アンテナ別ＣＱＩ  ＲＳが配置されるリソース要素は重複されることができる。
【００７６】
以下、サブフレーム内の一個のＯＦＤＭシンボルで４、６または８個のリソース要素にＣＱＩ  ＲＳを配置する例を順に説明する。ＣＱＩ  ＲＳは、例えば、ノーマルＣＰの場合、ＯＦＤＭシンボル５、８、１０、１３の中からいずれか一つが選択されることができる。拡張ＣＰの場合、ＯＦＤＭシンボル５、８、１１の中からいずれか一つが選択されることができる。また、専用参照信号の位置によってノーマルＣＰの場合、ＯＦＤＭシンボル３、５、６、８、９、１０、１２、１３の中からいずれか一つが選択されることができ、拡張ＣＰの場合、ＯＦＤＭシンボル４、５、７、８、１０、１１の中からいずれか一つが選択されることができる。
【００７７】
専用参照信号がＬＴＥ−Ａのように配置される場合、ＣＱＩ  ＲＳは、ノーマルＣＰの場合、ＯＦＤＭシンボル３、８、９、１０の中からいずれか一つが選択されることができ、拡張ＣＰの場合、ＯＦＤＭシンボル２、７、８の中からいずれか一つが選択されることができる。
【００７８】
図１２は、一個のＯＦＤＭシンボルで４個のリソース要素にＣＱＩ  ＲＳを配置する例を示す。
【００７９】
図１２を参照すると、時間領域で一個のＯＦＤＭシンボル、周波数領域で１２個の副搬送波を含むリソース領域で４個のリソース要素にＣＱＩ  ＲＳが配置される。ＣＱＩ  ＲＳが配置されるリソース要素は互いに同一距離ほど離隔されて配置されることができる。例えば、３個のリソース要素距離ほど離隔されて配置されることができる。ＣＱＩ  ＲＳは、ＣＤＭまたは｛ＣＤＭ，ＴＤＭ｝を使用して８個のアンテナを区分して配置されることができる。
【００８０】
例えば、４個のリソース要素に配置されたＣＱＩ  ＲＳはＣＤＭされて８個のアンテナを区分することができる。即ち、同一な４個のリソース要素に互いに異なるコードがＣＤＭされて８個のアンテナを区分することができる。この場合、一つのサブフレーム内で８個のアンテナの全部に対するＣＱＩ  ＲＳを送信することができ、デューティサイクル（ｄｕｔｙ  ｃｙｃｌｅ）は１である。
【００８１】
または、ＣＱＩ  ＲＳは一つのサブフレームで４個のアンテナを区分することができるようにＣＤＭされ、このように構成されたサブフレーム２個を用いて８個のアンテナを区分して送信されることができる。例えば、サブフレームｎ（ｎは整数）でアンテナ０、１、２、３に対するＣＱＩ  ＲＳをＣＤＭして送信し、サブフレームｎ＋ｋ（ｋは１以上の自然数）でアンテナ４、５、６、７に対するＣＱＩ  ＲＳをＣＤＭして送信することができる。即ち、ＣＤＭ及びＴＤＭしてＣＱＩ  ＲＳを送信することができる。この場合、デューティサイクルは２である。
【００８２】
または、ＣＱＩ  ＲＳは一つのサブフレームで２個のアンテナを区分することができるようにＣＤＭされ、このように構成されたサブフレーム４個を用いて８個のアンテナを区分して送信されることができる。例えば、サブフレームｎでアンテナ０、１に対するＣＱＩ  ＲＳをＣＤＭして送信し、サブフレームｎ＋１でアンテナ２、３、サブフレームｎ＋２でアンテナ４、５、サブフレームｎ＋３でアンテナ６、７に対するＣＱＩ  ＲＳをＣＤＭして送信することができる。この場合、デューティサイクルは４である。前記例では連続されたサブフレームを例示したが、これは制限されるものではない。
【００８３】
または、ＣＱＩ  ＲＳは一つのサブフレームで１個のアンテナに対するＣＱＩ  ＲＳを送信し、このようなサブフレームを８個用いて８個のアンテナを区分して送信されることができる。この場合、デューティサイクルは８である。
【００８４】
サブフレームのＯＦＤＭシンボルのインデックスを０から１３まで（ノーマルＣＰの場合）付与すると仮定すると、サブフレーム内でＣＱＩ  ＲＳが配置されることができるＯＦＤＭシンボルは、ノーマルＣＰの場合、５、８、１０、１３ＯＦＤＭシンボルのうちいずれか一つになることができる。拡張ＣＰの場合、５、８、１１ＯＦＤＭシンボルのうちいずれか一つになることができる。専用参照信号がＬＴＥ−Ａのように配置される場合、ＣＱＩ  ＲＳは、ノーマルＣＰの場合、ＯＦＤＭシンボル３、８、９、１０の中からいずれか一つが選択されることができ、拡張ＣＰの場合、ＯＦＤＭシンボル２、７、８の中からいずれか一つが選択されることができる。即ち、ＣＱＩ  ＲＳは、サブフレーム内で共用参照信号と専用参照信号が配置されるＯＦＤＭシンボルを除いたＯＦＤＭシンボルに配置されることができる。専用参照信号がどのＯＦＤＭシンボルに配置されるかによってＣＱＩ  ＲＳが配置されることができるＯＦＤＭシンボルは多様に変更されることができる。
【００８５】
前記例ではＣＱＩ  ＲＳを８個のアンテナに対して区分する場合を例示したが、これは制限されるものではない。既存に定義されたレガシーＲＳを複数のアンテナのうち少なくとも一つに適用し、本発明によるＣＱＩ  ＲＳを残りのアンテナに対して適用することも可能である。例えば、アンテナ０乃至７のうちアンテナ０に対してレガシーＲＳを使用し、アンテナ１乃至７に対しては本発明によるＣＱＩ  ＲＳを使用することも可能である。
【００８６】
ＣＱＩ  ＲＳは各セル別にＯＦＤＭシンボル内のリソース要素位置がシフトされて適用されることができ、または、全てのセルでＣＱＩ  ＲＳが配置されるリソース要素位置が固定されることもできる。
【００８７】
図１３は、一個のＯＦＤＭシンボルで４個のリソース要素に２個のＣＱＩ  ＲＳを配置する例を示す。
【００８８】
図１２とは違って、図１３では４個のリソース要素に２個のＣＱＩ  ＲＳが配置される。即ち、２個のリソース要素にＣＱＩ  ＲＳ  １が配置され、残りの２個のリソース要素にＣＱＩ  ＲＳ  ２が配置されることができる。ＣＱＩ  ＲＳが配置されるリソース要素のパターンは、図１３（ａ）のように同一なリソース要素距離ほど離隔されることもでき、図１３（ｂ）のように２個の連続されたリソース要素対にＣＱＩ  ＲＳを配置し、このようなリソース要素対が所定リソース要素距離ほど離隔されることもできる。または、図１３（ｃ）のようにＣＱＩ  ＲＳ  １が配置されるリソース要素とＣＱＩ  ＲＳ  ２が配置されるリソース要素が同じでないリソース要素距離を有することもできる。ＣＱＩ  ＲＳ  １及びＣＱＩ  ＲＳ  ２は、互いに異なる基本シーケンスを使用して区分されることができる。
【００８９】
ＣＱＩ  ＲＳ  １及びＣＱＩ  ＲＳ  ２は｛ＣＤＭ，ＦＤＭ｝または｛ＣＤＭ，ＦＤＭ，ＴＤＭ｝または｛ＦＤＭ，ＴＤＭ｝を使用して８個のアンテナを区分して配置されることができる。
【００９０】
｛ＣＤＭ，ＦＤＭ｝を使用する場合、４個のリソース要素のうち２個のリソース要素に配置されたＣＱＩ  ＲＳ  １はＣＤＭされて４個のアンテナ（例えばアンテナ０乃至３）を区分することができ、残りの２個のリソース要素に配置されたＣＱＩ  ＲＳ  ２もＣＤＭされて４個のアンテナ（アンテナ４乃至７）を区分することができる。この場合、一つのサブフレーム内で８個のアンテナの全部に対するＣＱＩ  ＲＳを送信することができる。
【００９１】
｛ＣＤＭ，ＦＤＭ，ＴＤＭ｝を使用する場合、一つのサブフレームで４個のアンテナを区分することができるように｛ＣＤＭ，ＦＤＭ｝され、このように構成されたサブフレーム２個を用いて８個のアンテナを区分して送信されることができる。例えば、サブフレームｎ（ｎは整数）で、ＣＱＩ  ＲＳ  １はアンテナ０、１を区分することができるようにＣＤＭされ、ＣＱＩ  ＲＳ  ２はアンテナ２、３を区分することができるようにＣＤＭされることができる。前述したが、ＣＱＩ  ＲＳ  １とＣＱＩ  ＲＳ  ２は互いに異なるリソース要素に割り当てられるためＦＤＭされる。サブフレームｎ＋ｋ（ｋは１以上の自然数）で、ＣＱＩ  ＲＳ  １はアンテナ４、５を区分することができるようにＣＤＭされ、ＣＱＩ  ＲＳ  ２はアンテナ６、７を区分することができるようにＣＤＭされることができる。この場合、デューティサイクルは２である。
【００９２】
｛ＦＤＭ，ＴＤＭ｝を使用する場合、一つのサブフレームでＣＱＩ  ＲＳ  １、ＣＱＩ  ＲＳ  ２が２個のアンテナを区分し、このように構成されたサブフレーム４個を用いて８個のアンテナを区分して送信されることができる。例えば、サブフレームｎでＣＱＩ  ＲＳ  １はアンテナ０、ＣＱＩ  ＲＳ  ２はアンテナ１に対して使われ、サブフレームｎ＋１でＣＱＩ  ＲＳ  １はアンテナ２、ＣＱＩ  ＲＳ  ２はアンテナ３に対して使われ、サブフレームｎ＋２でＣＱＩ  ＲＳ  １はアンテナ４、ＣＱＩ  ＲＳ  ２はアンテナ５に対して使われ、サブフレームｎ＋３でＣＱＩ  ＲＳ  １はアンテナ６、ＣＱＩ  ＲＳ  ２はアンテナ７に対して使われることができる。この場合、デューティサイクルは４である。前記例では連続されたサブフレームを例示したが、これは制限されるものではない。
【００９３】
図１４は、一個のＯＦＤＭシンボルで４個のリソース要素に４個のＣＱＩ  ＲＳを配置する例を示す。
【００９４】
図１３と違って、図１４では４個のリソース要素に４個のＣＱＩ  ＲＳが配置される。即ち、４個のリソース要素のうち１個のリソース要素毎にＣＱＩ  ＲＳ  １乃至ＣＱＩ  ＲＳ  ４が一つずつ配置される。ＣＱＩ  ＲＳが配置されるリソース要素のパターンは、図１４（ａ）及び図１４（ｃ）のように同一なリソース要素距離（図１４（ａ）は３リソース要素距離、図１４（ｃ）は２リソース要素距離）ほど離隔されることもでき、図１４（ｂ）のように４個の連続されたリソース要素にＣＱＩ  ＲＳ  １乃至ＣＱＩ  ＲＳ  ４が配置されることもできる。ＣＱＩ  ＲＳ  １乃至ＣＱＩ  ＲＳ  ４は互いに異なる基本シーケンスを使用して区分されることができる。
【００９５】
ＣＱＩ  ＲＳ  １乃至ＣＱＩ  ＲＳ  ４は、｛ＣＤＭ，ＦＤＭ｝または｛ＦＤＭ，ＴＤＭ｝を使用して８個のアンテナを区分して配置されることができる。
【００９６】
｛ＣＤＭ，ＦＤＭ｝を使用する場合、一つのサブフレームでＣＱＩ  ＲＳ  １乃至ＣＱＩ  ＲＳ  ４の各々はＣＤＭされて２個のアンテナを区分することによって８個のアンテナを区分することができる。
【００９７】
｛ＦＤＭ，ＴＤＭ｝を使用する場合、一つのサブフレームでＦＤＭにより区分されるＣＱＩ  ＲＳ  １乃至ＣＱＩ  ＲＳ  ４が４個のアンテナ（例えば、アンテナ０乃至３）を区分し、他のサブフレームでＦＤＭにより区分されるＣＱＩ  ＲＳ  １乃至ＣＱＩ  ＲＳ  ４が４個のアンテナ（例えば、アンテナ４乃至７）を区分する方式に８個のアンテナを区分することができる。
【００９８】
図１５は、図１４で説明したＣＱＩ  ＲＳ配置方法をサブフレームに適用する例を示す。
【００９９】
図１５を参照すると、ノーマルＣＰの場合、第２のスロットのＯＦＤＭシンボル１３にＣＱＩ  ＲＳ  １乃至４が配置される。拡張ＣＰの場合、第２のスロットのＯＦＤＭシンボル１１にＣＱＩ  ＲＳ  １乃至ＣＱＩ  ＲＳ  ４が配置される。即ち、図１４（ａ）で説明したＣＱＩ  ＲＳが配置されるリソース要素パターンを適用した一例である。図１５に示していないが、同様に、図１４（ｂ）、（ｃ）のリソース要素パターンも同一に適用されることができる。また、図１５ではサブフレームの最後のＯＦＤＭシンボルにＣＱＩ  ＲＳ  １乃至ＣＱＩ  ＲＳ  ４を適用した例を説明したが、共用参照信号（ｃｅｌｌ  ｓｐｅｃｉｆｉｃ  Ｒｅｆｅｒｅｎｃｅ  Ｓｉｇｎａｌ）または専用参照信号（Ｄｅｄｉｃａｔｅｄ  Ｒｅｆｅｒｅｎｃｅ  Ｓｉｇｎａｌ）が配置されるＯＦＤＭシンボルを除いたＯＦＤＭシンボルのうちいずれか一つに適用されることができることは当然である（以下の説明でも同じである）。
【０１００】
図１６は、一個のＯＦＤＭシンボルで６個のリソース要素にＣＱＩ  ＲＳを配置する例を示す。
【０１０１】
図１６（ａ）を参照すると、時間領域で一個のＯＦＤＭシンボル、周波数領域で１２個の副搬送波を含むリソース領域で６個のリソース要素にＣＱＩ  ＲＳが配置される。ＣＱＩ  ＲＳが配置されるリソース要素は互いに同一なリソース要素距離（２リソース要素距離）ほど離隔されて配置されることができる。ＣＱＩ  ＲＳは、ＣＤＭまたは｛ＣＤＭ，ＴＤＭ｝または｛ＦＤＭ，ＴＤＭ｝を使用して８個のアンテナを区分して配置されることができる。
【０１０２】
例えば、一つのサブフレーム内の６個のリソース要素に配置されたＣＱＩ  ＲＳはＣＤＭされて８個のアンテナを区分することができる。または、ＣＱＩ  ＲＳは一つのサブフレームで４個のアンテナを区分することができるようにＣＤＭされ、このように構成されたサブフレーム２個を用いて８個のアンテナを区分して送信されることができる。例えば、サブフレームｎ（ｎは整数）でアンテナ０、１、２、３に対するＣＱＩ  ＲＳをＣＤＭして送信し、サブフレームｎ＋ｋ（ｋは１以上の自然数）でアンテナ４、５、６、７に対するＣＱＩ  ＲＳをＣＤＭして送信することができる。即ち、ＣＤＭ及びＴＤＭしてＣＱＩ  ＲＳを送信することができる。
【０１０３】
図１６（ａ）の場合、セル別にＣＱＩ  ＲＳが配置されることができる位置がシフトされることができる。例えば、モジュラー２（ｍｏｄｕｌａｒ  ２）演算によりＣＱＩ  ＲＳが配置されるリソース要素の位置を決定することができる。図１６（ｂ）乃至図１６（ｇ）の場合、各セル別にＣＱＩ  ＲＳが配置されるリソース要素の位置が同一に固定されることもでき、オフセット情報によって変わることもできる。オフセット情報は基準になる開始位置に対してリソース要素単位のオフセット値を与えることもでき、インデックスに開始位置を指示することもできる。例えば、図１６（ｂ）が基準になる開始位置を示す場合、図１６（ｃ）はオフセット値で１、図１６（ｄ）はオフセット値で２、図１６（ｅ）はオフセット値で３などの方式にオフセット値を与えることができる。オフセット値は、セルまたはセルグループ単位に互いに異なる値が与えられることができる。または、モジュラー６演算によりＣＱＩ  ＲＳが配置されるリソース要素の位置を決定することもできる。
【０１０４】
図１７は、図１６で説明したＣＱＩ  ＲＳ配置方法をサブフレームに適用した一例を示す。サブフレームの最後のＯＦＤＭシンボルに図１６（ａ）で説明したＣＱＩ  ＲＳ配置方法を適用した例である。図１７と違って、専用参照信号がＬＴＥ−Ａのように配置される場合、ＣＱＩ  ＲＳは、ノーマルＣＰの場合、ＯＦＤＭシンボル３、８、９、１０の中からいずれか一つが選択されることができ、拡張ＣＰの場合、ＯＦＤＭシンボル２、７、８の中からいずれか一つが選択されることができる。
【０１０５】
以下、サブフレーム内の一個のＯＦＤＭシンボルでＣＱＩ  ＲＳが送信され、一つのリソースブロックに該当する周波数帯域で８個のリソース要素にＣＱＩ  ＲＳを配置する例を説明する。
【０１０６】
図１８は、サブフレーム内の一個のＯＦＤＭシンボルでＣＱＩ  ＲＳが送信され、一つのリソースブロックに該当する周波数帯域で８個のリソース要素にＣＱＩ  ＲＳを配置する一例を示す。
【０１０７】
図１８を参照すると、時間領域で一個のＯＦＤＭシンボル、周波数領域で１２個の副搬送波を含むリソース領域で８個のリソース要素にＣＱＩ  ＲＳ  １が配置される。ＣＱＩ  ＲＳ  １が配置された各々のリソース要素は、２個ずつ対に配置されることができ、互いに同一距離ほど離隔されて配置されることができる。ここで、ＣＱＩ  ＲＳ  １は一つの基本シーケンスを使用するＣＱＩ  ＲＳである。ＣＱＩ  ＲＳ  １は、ＣＤＭまたは｛ＣＤＭ，ＴＤＭ｝を使用して８個のアンテナを区分して配置されることができる。
【０１０８】
例えば、ＣＱＩ  ＲＳ  １が配置される８個のリソース要素はＣＤＭされて８個のアンテナを区分することができる。即ち、同一な８個のリソース要素に互いに異なるコードがＣＤＭされて８個のアンテナを区分することができる。このような場合、一つのサブフレーム内で８個のアンテナの全部に対するＣＱＩ  ＲＳを送信することができ、デューティサイクル（ｄｕｔｙ  ｃｙｃｌｅ）は１サブフレームである。
【０１０９】
または、ＣＱＩ  ＲＳ  １は一つのサブフレーム内の８個のリソース要素で４個のアンテナを区分することができるようにＣＤＭされ、このように構成された２個のサブフレームを用いて８個のアンテナを区分して送信されることができる。例えば、サブフレームｎでアンテナ０、１、２、３に対するＣＱＩ  ＲＳをＣＤＭして送信し、サブフレームｎ＋１でアンテナ４、５、６、７に対するＣＱＩ  ＲＳをＣＤＭして送信することができる。即ち、ＣＤＭ及びＴＤＭしてＣＱＩ  ＲＳを送信することができる。この場合、デューティサイクルは２サブフレームである。
【０１１０】
または、ＣＱＩ  ＲＳ  １は一つのサブフレーム内の８個のリソース要素で２個のアンテナを区分することができるようにＣＤＭされ、このように構成された４個のサブフレームを用いて８個のアンテナを区分して送信されることができる。例えば、サブフレームｎでアンテナ０、１に対するＣＱＩ  ＲＳをＣＤＭして送信し、サブフレームｎ＋１でアンテナ２、３、サブフレームｎ＋２でアンテナ４、５、サブフレームｎ＋３でアンテナ６、７に対するＣＱＩ  ＲＳをＣＤＭして送信することができる。この場合、デューティサイクルは４サブフレームである。
【０１１１】
または、ＣＱＩ  ＲＳ  １は一つのサブフレーム内の８個のリソース要素で１個のアンテナに対するＣＱＩ  ＲＳを送信し、８個のサブフレームを用いて８個のアンテナを区分して送信されることができる。この場合、デューティサイクルは８サブフレームである。
【０１１２】
サブフレームのＯＦＤＭシンボルのインデックスを０から１３まで（ノーマルＣＰの場合）付与すると仮定すると、サブフレーム内でＣＱＩ  ＲＳ  １が配置されることができるＯＦＤＭシンボルは、ノーマルＣＰの場合、５、８、１０、１３ＯＦＤＭシンボルのうちいずれか一つになることができる。拡張ＣＰの場合、５、８、１１ＯＦＤＭシンボルのうちいずれか一つになることができる。専用参照信号がＬＴＥ−Ａのように配置される場合、ＣＱＩ  ＲＳは、ノーマルＣＰの場合、ＯＦＤＭシンボル３、８、９、１０の中からいずれか一つが選択されることができて、拡張ＣＰの場合、ＯＦＤＭシンボル２、７、８の中からいずれか一つが選択されることができる。即ち、サブフレーム内で共用参照信号と専用参照信号が配置されないＯＦＤＭシンボルに配置されることができる。また、専用参照信号がどこに配置されるかによってＣＱＩ  ＲＳ  １が配置されることができるＯＦＤＭシンボルは多様に追加されることができる。
【０１１３】
図１９は、サブフレーム内の一個のＯＦＤＭシンボルでＣＱＩ  ＲＳが送信され、一つのリソースブロックに該当する周波数帯域で８個のリソース要素にＣＱＩ  ＲＳを配置する他の例を示す。
【０１１４】
図１９（ａ）乃至（ｅ）に示すように、周波数領域で連続する８個のリソース要素にＣＱＩ  ＲＳが配置されることができる。ＣＱＩ  ＲＳが配置されるリソース要素の開始位置は固定されることもでき、オフセット情報によって変わることもできる。オフセット情報は、基準になる開始位置に対してリソース要素単位のオフセット値を与えることもでき、インデックスに開始位置を指示することもできる。例えば、図１９（ａ）が基準になる開始位置を示す場合、図１９（ｂ）はオフセット値で１、図１９（ｃ）はオフセット値で２、図１９（ｄ）はオフセット値で３、図１９（ｅ）はオフセット値で４を与えることができる。オフセット値は、セルまたはセルグループ単位に互いに異なる値が与えられることができる。
【０１１５】
図２０は、サブフレーム内の一個のＯＦＤＭシンボルでＣＱＩ  ＲＳが送信され、一つのリソースブロックに該当する周波数帯域で８個のリソース要素に２個のＣＱＩ  ＲＳを配置する例を示す。
【０１１６】
図２０を参照すると、４個リソース要素にＣＱＩ  ＲＳ  １が配置され、他の４個リソース要素にＣＱＩ  ＲＳ  ２が配置される。ＣＱＩ  ＲＳ  １及びＣＱＩ  ＲＳ  ２は互いに異なる基本シーケンスを使用することができる。ＣＱＩ  ＲＳ  １及びＣＱＩ  ＲＳ  ２は、｛ＣＤＭ及びＦＤＭ｝または｛ＣＤＭ，ＦＤＭ及びＴＤＭ｝を使用して８個のアンテナを区分して配置されることができる。
【０１１７】
例えば、ＣＱＩ  ＲＳ  １が配置される４個のリソース要素はＣＤＭされて４個のアンテナ（例えば、アンテナ０，１，２，３）を区分することができ、ＣＱＩ  ＲＳ  ２が配置される４個のリソース要素もＣＤＭされて４個のアンテナ（例えば、アンテナ４，５，６，７）を区分することができる。即ち、ＣＱＩ  ＲＳ  １とＣＱＩ  ＲＳ  ２は互いにＦＤＭされ、ＣＱＩ  ＲＳ  １及びＣＱＩ  ＲＳ  ２はＣＤＭされることができる。この場合、一つのサブフレーム内で８個のアンテナの全部に対するＣＱＩ  ＲＳを送信することができ、デューティサイクル（ｄｕｔｙ  ｃｙｃｌｅ）は１サブフレームである。
【０１１８】
または、ＣＱＩ  ＲＳ  １は、一つのサブフレーム内の４個のリソース要素で２個のアンテナ（例えば、アンテナ０，１）を区分することができるようにＣＤＭされ、ＣＱＩ  ＲＳ  ２は同一サブフレーム内の他の４個のリソース要素で２個のアンテナ（例えば、アンテナ２，３）を区分することができるようにＣＤＭされることができる。このように構成された２個のサブフレームを用いて８個のアンテナを区分して送信されることができる。例えば、サブフレームｎで、ＣＱＩ  ＲＳ  １をアンテナ０、１に対してＣＤＭし、ＣＱＩ  ＲＳ  ２をアンテナ２、３に対してＣＤＭして送信する。また、サブフレームｎ＋１で、ＣＱＩ  ＲＳ  １をアンテナ４、５に対してＣＤＭして送信し、ＣＱＩ  ＲＳ  ２をアンテナ６、７に対してＣＤＭして送信することができる。即ち、ＣＤＭ、ＴＤＭ及びＦＤＭしてＣＱＩ  ＲＳを送信することができる。この場合、デューティサイクルは２サブフレームである。
【０１１９】
または、ＣＱＩ  ＲＳ  １は、一つのサブフレーム内の４個のリソース要素で１個のアンテナを区分することができるように配置され、ＣＱＩ  ＲＳ  ２は同一サブフレーム内の他の４個のリソース要素に前記アンテナと異なる１個のアンテナを区分することができるように配置されることができる。このように構成された４個のサブフレームを用いて８個のアンテナを区分して送信されることができる。例えば、サブフレームｎで、ＣＱＩ  ＲＳ  １をアンテナ０、ＣＱＩ  ＲＳ  ２をアンテナ１に対してＦＤＭして送信することができる。サブフレームｎ＋１で、ＣＱＩ  ＲＳ  １をアンテナ２、ＣＱＩ  ＲＳ  ２をアンテナ３に対してＦＤＭして送信することができる。サブフレームｎ＋２で、ＣＱＩ  ＲＳ  １をアンテナ４、ＣＱＩ  ＲＳ  ２をアンテナ５に対してＦＤＭして送信することができる。サブフレームｎ＋３で、ＣＱＩ  ＲＳ  １をアンテナ６、ＣＱＩ  ＲＳ  ２をアンテナ７に対してＦＤＭして送信することができる。この場合、デューティサイクルは４サブフレームである。
【０１２０】
図２１は、サブフレーム内の一個のＯＦＤＭシンボルでＣＱＩ  ＲＳが送信され、一つのリソースブロックに該当する周波数帯域で８個のリソース要素に２個のＣＱＩ  ＲＳを配置する他の例を示す。
【０１２１】
図２１（ａ）を参照すると、ＣＱＩ  ＲＳ  ２が配置されるリソース要素、ＣＱＩ  ＲＳ  １が配置されるリソース要素の順に繰り返して８個のリソース要素が連続する。図２１（ｂ）を参照すると、ＣＱＩ  ＲＳ  ２が配置されるリソース要素が４個連続し、続いてＣＱＩ  ＲＳ  １が配置されるリソース要素が４個連続する。ＣＱＩ  ＲＳが配置されるリソース要素の開始位置は固定されることもでき、オフセット情報によって変わることもできる。オフセット情報は基準になる開始位置に対してリソース要素単位のオフセット値を与えることもでき、インデックスに開始位置を指示することもできる。図面には示していないが、オフセット値は１乃至４のうちいずれか一つの値に与えられることができる。オフセット値は、セルまたはセルグループ単位に決定されることができる。
【０１２２】
図２２は、サブフレーム内の一個のＯＦＤＭシンボルでＣＱＩ  ＲＳが送信され、一つのリソースブロックに該当する周波数帯域で８個のリソース要素に４個のＣＱＩ  ＲＳを配置する他の例を示す。
【０１２３】
図２２を参照すると、時間領域で一個のＯＦＤＭシンボル、周波数領域で１２個の副搬送波を含むリソース領域でＣＱＩ  ＲＳ  １乃至ＣＱＩ  ＲＳ  ４が各々２個リソース要素に配置される。ＣＱＩ  ＲＳ  １乃至ＣＱＩ  ＲＳ  ４は、各々、互いに異なる基本シーケンスを使用することができる。ＣＱＩ  ＲＳ  １乃至ＣＱＩ  ＲＳ  ４は｛ＣＤＭ及びＦＤＭ｝または｛ＦＤＭ及びＴＤＭ｝を使用して８個のアンテナを区分して配置されることができる。
【０１２４】
例えば、ＣＱＩ  ＲＳ  １が配置される２個のリソース要素はＣＤＭされて２個のアンテナ（例えば、アンテナ０，１）を区分することができ、ＣＱＩ  ＲＳ  ２が配置される２個のリソース要素もＣＤＭされて２個のアンテナ（例えば、アンテナ３，４）を区分することができる。同様に、ＣＱＩ  ＲＳ  ３、ＣＱＩ  ＲＳ  ４もＣＤＭされ、各々、２個のアンテナを区分することができる。即ち、ＣＱＩ  ＲＳ  １乃至ＣＱＩ  ＲＳ  ４は互いにＦＤＭされ、ＣＱＩ  ＲＳ  １乃至ＣＱＩ  ＲＳ  ４の各々はＣＤＭされることができる。この場合、一つのサブフレーム内で８個のアンテナの全部に対するＣＱＩ  ＲＳを送信することができ、デューティサイクル（ｄｕｔｙ  ｃｙｃｌｅ）は１サブフレームである。
【０１２５】
または、ＣＱＩ  ＲＳ  １乃至ＣＱＩ  ＲＳ  ４の各々は、一つのサブフレーム内の２個のリソース要素で１個のアンテナに対するＣＱＩ  ＲＳで送信されることができるように相互間にＦＤＭされ、このように構成された２個のサブフレームを用いて８個のアンテナを区分して送信されることができる。例えば、サブフレームｎでＣＱＩ  ＲＳ  １乃至ＣＱＩ  ＲＳ  ４はＦＤＭされ、各々、アンテナ０乃至アンテナ３に対するＣＱＩ  ＲＳに区分されることができる。サブフレームｎ＋１でＣＱＩ  ＲＳ  １乃至ＣＱＩ  ＲＳ  ４はＦＤＭされ、各々、アンテナ４乃至アンテナ７に対するＣＱＩ  ＲＳに区分されることができる。即ち、ＦＤＭ及びＴＤＭされてＣＱＩ  ＲＳを送信することができる。この場合、デューティサイクルは２サブフレームである。
【０１２６】
図２３は、サブフレーム内の一個のＯＦＤＭシンボルでＣＱＩ  ＲＳが送信され、一つのリソースブロックに該当する周波数帯域で８個のリソース要素に４個のＣＱＩ  ＲＳを配置する他の例を示す。
【０１２７】
図２３（ａ）を参照すると、ＣＱＩ  ＲＳ  １乃至ＣＱＩ  ＲＳ  ４のうちいずれか一つが配置される４個のリソース要素が連続して２回配置される。図２３（ｂ）を参照すると、図２３（ａ）と比較してＣＱＩ  ＲＳが配置される開始位置が異なるという差がある。ＣＱＩ  ＲＳが配置されるリソース要素の開始位置は、固定されることもでき、オフセット情報によって変わることもできる。オフセット情報は、基準になる開始位置に対してリソース要素単位のオフセット値を与えることもでき、インデックスに開始位置を指示することもできる。図面には図２３（ｂ）のようにオフセット値が１である場合のみを示したが、オフセット値は１乃至４のうちいずれか一つの値に与えられることができる。オフセット値は、セルまたはセルグループ単位に決定されることができる。図２３（ｃ）を参照すると、ＣＱＩ  ＲＳ  １乃至ＣＱＩ  ＲＳ  ４のうちいずれか一つが配置される４個のリソース要素が連続して配置されるが、ＣＱＩ  ＲＳが配置された４個のリソース要素は互いに離隔されて配置される。図２３（ｃ）でＣＱＩ  ＲＳが配置された４個のリソース要素が２個のリソース要素距離を置いて離隔配置された例を示している。または、各ＣＱＩ  ＲＳが配置されたリソース要素が６個のリソース要素距離を置いて離隔配置されたと表現することもできる。図２３（ｄ）は、図２３（ｃ）と比較してＣＱＩ  ＲＳが配置されるリソース要素の開始位置が異なるという差がある。
【０１２８】
図２４は、サブフレーム内の一個のＯＦＤＭシンボルでＣＱＩ  ＲＳが送信され、一つのリソースブロックに該当する周波数帯域で８個のリソース要素に８個のＣＱＩ  ＲＳを配置する例を示す。
【０１２９】
図２４を参照すると、時間領域で一個のＯＦＤＭシンボル、周波数領域で１２個の副搬送波を含むリソース領域でＣＱＩ  ＲＳ  １乃至ＣＱＩ  ＲＳ  ７が各々１個リソース要素に配置される。ＣＱＩ  ＲＳ  １乃至ＣＱＩ  ＲＳ  ７は、各々、互いに異なる基本シーケンスを使用することができる。ＣＱＩ  ＲＳ  １乃至ＣＱＩ  ＲＳ  ７はＦＤＭにより８個のアンテナを区分して配置されることができる。２個のアンテナに対するＣＱＩ  ＲＳが連続するリソース要素に配置され、連続する２個のリソース要素は１個のリソース要素距離ほど離隔されて配置される。
【０１３０】
図２５は、サブフレーム内の一個のＯＦＤＭシンボルでＣＱＩ  ＲＳが送信され、一つのリソースブロックに該当する周波数帯域で８個のリソース要素に８個のＣＱＩ  ＲＳを配置する他の例を示す。
【０１３１】
図２５（ａ）及び図２５（ｂ）は、ＣＱＩ  ＲＳ  １乃至ＣＱＩ  ＲＳ  ７のうちいずれか一つが配置されたリソース要素が連続する場合を例示している。図２５（ｂ）は図２５（ａ）に比べてＣＱＩ  ＲＳが配置されたリソース要素の開始位置がオフセット値１ほど移動した例を示している。図２５（ｂ）のようにオフセット値が１である場合のみを示したが、オフセット値は１乃至４のうちいずれか一つの値に与えられることもできる。または、図２５（ｃ）、２５（ｄ）のように４個のＣＱＩ  ＲＳに対して配置される４個のリソース要素が連続し、４個のリソース要素は互いに離隔して配置されることもできる。
【０１３２】
図２６は、図２２で説明したＣＱＩ  ＲＳ配置方法をサブフレームに適用する例を示す。
【０１３３】
図２６を参照すると、サブフレームの最後のＯＦＤＭシンボル、即ち、ノーマルＣＰの場合、１３番目のＯＦＤＭシンボル、拡張ＣＰの場合、１１番目のＯＦＤＭシンボルでＣＱＩ  ＲＳが送信されることができる。サブフレームの最後のＯＦＤＭシンボルで４個のＣＱＩ  ＲＳ（ＣＱＩ  ＲＳ  １乃至ＣＱＩ  ＲＳ  ４）がＦＤＭされて送信されることができる。
【０１３４】
図２７は、図２４で説明したＣＱＩ  ＲＳ配置方法をサブフレームに適用する例を示す。
【０１３５】
図２７を参照すると、サブフレームの最後のＯＦＤＭシンボル、即ち、ノーマルＣＰの場合、１３番目のＯＦＤＭシンボル、拡張ＣＰの場合、１１番目のＯＦＤＭシンボルでＣＱＩ  ＲＳが送信されることができる。サブフレームの最後のＯＦＤＭシンボルで８個のＣＱＩ  ＲＳ（ＣＱＩ  ＲＳ  １乃至ＣＱＩ  ＲＳ  ８）がＦＤＭされて送信されることができる。
【０１３６】
図２８乃至図３３は、サブフレーム内で８個のリソース要素に８個のＣＱＩ  ＲＳを配置する例を示す。
【０１３７】
図２８乃至図３３を参照すると、専用参照信号が、ノーマルＣＰの場合にＯＦＤＭシンボル５、６、１２、１３、拡張ＣＰの場合にＯＦＤＭシンボル４、５、１０、１１で送信されることができる。また、共用参照信号が、ノーマルＣＰの場合、ＯＦＤＭシンボル０、４、７、１１、拡張ＣＰの場合、ＯＦＤＭシンボル０、３、６、９で送信されることができる。このような場合、ＣＱＩ  ＲＳは、ノーマルＣＰの場合にＯＦＤＭシンボル３、８、９、１０のうちいずれか一つで送信されることができ、拡張ＣＰの場合にＯＦＤＭシンボル７、８のうちいずれか一つで送信されることができる。
【０１３８】
図２８及び図３０では、ノーマルＣＰの場合にＯＦＤＭシンボル１０、拡張ＣＰの場合にＯＦＤＭシンボル８でＣＱＩ  ＲＳが送信される場合を例示している。図２８及び図２９は、ＣＱＩ  ＲＳが送信されるＯＦＤＭシンボルでＣＱＩ  ＲＳ  １乃至ＣＱＩ  ＲＳ  ８が同一パターン（即ち、ＣＱＩ  ＲＳが配置される２個のリソース要素が連続し、２個のリソース要素は１個のリソース要素距離ほど離隔されるパターン）を有するという点で共通するが、ＣＱＩ  ＲＳが配置されるリソース要素の開始位置は異なるという差がある。
【０１３９】
図３０乃至図３３は、ＣＱＩ  ＲＳが送信されるＯＦＤＭシンボルでＣＱＩ  ＲＳ  １乃至ＣＱＩ  ＲＳ  ８が同一パターン（即ち、ＣＱＩ  ＲＳが配置される８個のリソース要素が連続されるパターン）を有するという点で共通するが、ＣＱＩ  ＲＳが送信されるＯＦＤＭシンボルは互いに異なるという差がある。即ち、図３０は、ノーマルＣＰの場合にＯＦＤＭシンボル１０、拡張ＣＰの場合にＯＦＤＭシンボル８でＣＱＩ  ＲＳが送信される場合を例示している。図３１は、ノーマルＣＰの場合にＯＦＤＭシンボル９、拡張ＣＰの場合にＯＦＤＭシンボル８でＣＱＩ  ＲＳが送信される場合を例示している。図３２は、ノーマルＣＰの場合にＯＦＤＭシンボル８、拡張ＣＰの場合にＯＦＤＭシンボル７でＣＱＩ  ＲＳが送信される場合を例示している。図３３は、ノーマルＣＰの場合にＯＦＤＭシンボル３、拡張ＣＰの場合にＯＦＤＭシンボル２でＣＱＩ  ＲＳが送信される場合を例示している。図２８乃至図３３で、ＣＱＩ  ＲＳが送信されるＯＦＤＭシンボルでＣＱＩ  ＲＳ  １乃至ＣＱＩ  ＲＳ  ８がＦＤＭされて送信されることができる。
【０１４０】
前述したように、サブフレーム内の一個のＯＦＤＭシンボルで４、６または８個のリソース要素にＣＱＩ  ＲＳを配置する例を説明した。以下、サブフレーム内で２個のＯＦＤＭシンボルで総４、８、１２または１６個のリソース要素にＣＱＩ  ＲＳを配置する例を説明する。
【０１４１】
ＣＱＩ  ＲＳは、例えば、ノーマルＣＰの場合、ＯＦＤＭシンボル５、８、１０、１３の中から２個が選択されることができる。選択された２個のＯＦＤＭシンボルをＯＦＤＭシンボルインデックス対（ｘ，ｙ）のように表示する場合、（５，８）、（５，１０）、（５，１３）、（８，１０）、（８，１３）、（１０，１３）のうちいずれか一つになることができる。拡張ＣＰの場合、ＯＦＤＭシンボル５、８、１１の中から２個が選択されることができ、（５，８）、（５，１１）、（８，１１）のうちいずれか一つになることができる。また、専用参照信号の位置によって、ノーマルＣＰの場合、ＯＦＤＭシンボル３、５、６、８、９、１０、１２、１３のうちいずれか２個が選択されることができ、拡張ＣＰの場合、ＯＦＤＭシンボル４、５、７、８、１０、１１のうちいずれか２個が選択されることができる。専用参照信号がＬＴＥ−Ａのように配置される場合、ＣＱＩ  ＲＳは、ノーマルＣＰの場合、ＯＦＤＭシンボル３、８、９、１０のうちいずれか２個が選択されることができ、拡張ＣＰの場合、ＯＦＤＭシンボル２、７、８のうちいずれか２個が選択されることができる。
【０１４２】
図３４は、サブフレーム内の２個のＯＦＤＭシンボルでＣＱＩ  ＲＳが送信され、一つのリソースブロックに該当する周波数帯域で総４個のリソース要素にＣＱＩ  ＲＳを配置する例を示す。
【０１４３】
時間領域で２個のＯＦＤＭシンボル（各ＯＦＤＭシンボルは互いに異なるリソースブロックに含まれることができる）、周波数領域で１２個の副搬送波を含むリソース領域で総４個のリソース要素にＣＱＩ  ＲＳが配置される。図３４（ａ）、（ｂ）または（ｄ）のように、ＣＱＩ  ＲＳが配置されるリソース要素は、互いに同一なリソース要素距離ほど離隔されて配置されることができる。例えば、６個のリソース要素距離ほど離隔されて配置されることができる。または、図３４（ｃ）のように、ＣＱＩ  ＲＳが配置されるリソース要素は、一個のＯＦＤＭシンボルで連続する２個のリソース要素に配置されることもできる。
【０１４４】
ＣＱＩ  ＲＳは、ＣＤＭまたは｛ＣＤＭ，ＴＤＭ｝を使用して８個のアンテナを区分して配置されることができる。例えば、総４個のリソース要素に配置されたＣＱＩ  ＲＳはＣＤＭされて８個のアンテナを区分することができる。この場合、一つのサブフレーム内で８個のアンテナの全部に対するＣＱＩ  ＲＳを送信することができ、デューティサイクル（ｄｕｔｙ  ｃｙｃｌｅ）は１である。
【０１４５】
または、ＣＱＩ  ＲＳは一つのサブフレームで４個のアンテナを区分することができるようにＣＤＭされ、このように構成されたサブフレーム２個を用いて８個のアンテナを区分して送信されることができる。例えば、サブフレームｎ（ｎは整数）でアンテナ０、１、２、３に対するＣＱＩ  ＲＳをＣＤＭして送信し、サブフレームｎ＋ｋ（ｋは１以上の自然数）でアンテナ４、５、６、７に対するＣＱＩ  ＲＳをＣＤＭして送信することができる。即ち、ＣＤＭ及びＴＤＭしてＣＱＩ  ＲＳを送信することができる。この場合、デューティサイクルは２である。
【０１４６】
または、ＣＱＩ  ＲＳは一つのサブフレームで２個のアンテナを区分することができるようにＣＤＭされ、このように構成されたサブフレーム４個を用いて８個のアンテナを区分して送信されることができる。例えば、サブフレームｎでアンテナ０、１に対するＣＱＩ  ＲＳをＣＤＭして送信し、サブフレームｎ＋１でアンテナ２、３、サブフレームｎ＋２でアンテナ４、５、サブフレームｎ＋３でアンテナ６、７に対するＣＱＩ  ＲＳをＣＤＭして送信することができる。この場合、デューティサイクルは４である。前記例では連続されたサブフレームを例示したが、これは制限されるものではない。ＣＱＩ  ＲＳはセル別に配置されることができる位置がシフトされることができる。例えば、モジュラー３または６演算によりＣＱＩ  ＲＳが配置されるリソース要素の開始位置が決定されることができる。または、共用参照信号と同一な周波数領域のリソース要素に配置されることもできる。
【０１４７】
図３５は、２個のＯＦＤＭシンボルで総４個のリソース要素に２個のＣＱＩ  ＲＳを配置する例を示す。
【０１４８】
図３４とは違って、図３５では総４個のリソース要素に２個のＣＱＩ  ＲＳが配置される。即ち、一個のＯＦＤＭシンボルに含まれた２個のリソース要素にＣＱＩ  ＲＳ  １が配置され、残りのＯＦＤＭシンボルに含まれた２個のリソース要素にＣＱＩ  ＲＳ  ２が配置されることができる。ＣＱＩ  ＲＳが配置されるリソース要素のパターンは、図３５（ａ）、（ｂ）、（ｄ）のように同一なリソース要素距離ほど離隔されることもでき、図３５（ｃ）のように２個の連続されたリソース要素に各ＣＱＩ  ＲＳを配置することもできる。図３５（ｄ）は、図３５（ａ）、（ｂ）と比較してＣＱＩ  ＲＳ  １、ＣＱＩ  ＲＳ  ２が同一な周波数領域のリソース要素に配置されるという点で差がある。
【０１４９】
ＣＱＩ  ＲＳ  １及びＣＱＩ  ＲＳ  ２は、｛ＣＤＭ，ＴＤＭ｝を使用して８個のアンテナを区分して配置されることができる。
【０１５０】
｛ＣＤＭ，ＴＤＭ｝を使用する場合、ＣＱＩ  ＲＳ  １はＣＤＭされて４個のアンテナ（例えばアンテナ０乃至３）を区分することができ、ＣＱＩ  ＲＳ  ２もＣＤＭされて４個のアンテナ（アンテナ４乃至７）を区分することができる。この場合、一つのサブフレーム内で８個のアンテナの全部に対するＣＱＩ  ＲＳを送信することができる。この場合、デューティサイクルは１である。
【０１５１】
一つのサブフレームでＣＱＩ  ＲＳ  １、ＣＱＩ  ＲＳ  ２の各々が２個のアンテナを区分することができるようにＣＤＭされ、このように構成されたサブフレーム２個を用いて８個のアンテナを区分して送信されることができる。例えば、サブフレームｎ（ｎは整数）で、ＣＱＩ  ＲＳ  １はアンテナ０、１を区分することができるようにＣＤＭされ、ＣＱＩ  ＲＳ  ２はアンテナ２、３を区分することができるようにＣＤＭされることができる。サブフレームｎ＋ｋ（ｋは１以上の自然数）で、ＣＱＩ  ＲＳ  １はアンテナ４、５を区分することができるようにＣＤＭされ、ＣＱＩ  ＲＳ  ２はアンテナ６、７を区分することができるようにＣＤＭされることができる。この場合、デューティサイクルは２である。
【０１５２】
または、一つのサブフレームでＣＱＩ  ＲＳ  １、ＣＱＩ  ＲＳ  ２の各々が互いに異なる１個ずつアンテナを区分し、このように構成されたサブフレーム４個を用いて８個のアンテナを区分して送信されることができる。例えば、サブフレームｎで、ＣＱＩ  ＲＳ  １はアンテナ０、ＣＱＩ  ＲＳ  ２はアンテナ１に対して使われ、サブフレームｎ＋１で、ＣＱＩ  ＲＳ  １はアンテナ２、ＣＱＩ  ＲＳ  ２はアンテナ３に対して使われ、サブフレームｎ＋２で、ＣＱＩ  ＲＳ  １はアンテナ４、ＣＱＩ  ＲＳ  ２はアンテナ５に対して使われ、サブフレームｎ＋３で、ＣＱＩ  ＲＳ  １はアンテナ６、ＣＱＩ  ＲＳ  ２はアンテナ７に対して使われることができる。この場合、デューティサイクルは４である。前記例では連続されたサブフレームを例示したが、これは制限されるものではない。
【０１５３】
図３６は、２個のＯＦＤＭシンボルで総４個のリソース要素に４個のＣＱＩ  ＲＳを配置する例を示す。
【０１５４】
図３６では４個のリソース要素に４個のＣＱＩ  ＲＳが配置される。即ち、４個のリソース要素のうち１個のリソース要素毎にＣＱＩ  ＲＳ  １乃至ＣＱＩ  ＲＳ  ４が一つずつ配置される。ＣＱＩ  ＲＳ  １乃至ＣＱＩ  ＲＳ  ４は、｛ＣＤＭ，ＦＤＭ，ＴＤＭ｝を使用して８個のアンテナを区分して配置されることができる。
【０１５５】
例えば、一つのサブフレームでＣＱＩ  ＲＳ  １乃至ＣＱＩ  ＲＳ  ４の各々はＣＤＭされて２個のアンテナを区分することによって８個のアンテナを区分することができる（デューティサイクル１）。または、一つのサブフレームでＦＤＭにより区分されるＣＱＩ  ＲＳ  １乃至ＣＱＩ  ＲＳ  ４が各々１個ずつ総４個のアンテナ（例えば、アンテナ０乃至３）を区分し、他のサブフレームで他の４個のアンテナ（例えば、アンテナ４乃至７）を区分する方式に８個のアンテナを区分することができる（デューティサイクル２）。
【０１５６】
図３７は、サブフレーム内の２個のＯＦＤＭシンボルで４個のリソース要素に４個のＣＱＩ  ＲＳを配置する例を示す。
【０１５７】
図３７（ａ）、（ｂ）のように一個のＯＦＤＭシンボルで連続する２個のリソース要素にＣＱＩ  ＲＳを各々配置することもでき、図３７（ｃ）、（ｄ）のように離隔されたリソース要素にＣＱＩ  ＲＳを配置することもできる。
【０１５８】
図３８は、サブフレーム内の２個のＯＦＤＭシンボルで４個のリソース要素にＣＱＩ  ＲＳを配置し、各ＯＦＤＭシンボルでＣＱＩ  ＲＳが配置されたリソース要素のパターンが同一な例を示す。
【０１５９】
ＣＤＭによって総４個のリソース要素に配置されたＣＱＩ  ＲＳが８個のアンテナを区分するようにすることができる。または、｛ＣＤＭ，ＴＤＭ｝によって２個のＯＦＤＭシンボルのうちいずれか一個のＯＦＤＭシンボルでアンテナ０乃至３を区分するようにし、残りの一個のＯＦＤＭシンボルでアンテナ４乃至７を区分するようにすることができる。または、サブフレームｎで２個のＯＦＤＭシンボルに配置されたＣＱＩ  ＲＳを用いてアンテナ０乃至３を区分し、サブフレームｎ＋ｋで２個のＯＦＤＭシンボルに配置されたＣＱＩ  ＲＳを用いてアンテナ４乃至７を区分することができる。
【０１６０】
図３９は、サブフレーム内の２個のＯＦＤＭシンボルで総４個のリソース要素に２個のＣＱＩ  ＲＳを配置する例を示す。
【０１６１】
図３９を参照すると、一個のＯＦＤＭシンボルで２個リソース要素にＣＱＩ  ＲＳ  １が配置され、他のＯＦＤＭシンボルで２個リソース要素にＣＱＩ  ＲＳ  ２が配置される。ＣＱＩ  ＲＳ  １及びＣＱＩ  ＲＳ  ２は互いに異なる基本シーケンスを使用することができる。ＣＱＩ  ＲＳ  １及びＣＱＩ  ＲＳ  ２は、ＴＤＭまたは｛ＣＤＭ，ＴＤＭ｝を使用して８個のアンテナを区分して配置されることができる。
【０１６２】
ＴＤＭの場合、一つのサブフレームでＣＱＩ  ＲＳ  １及びＣＱＩ  ＲＳ  ２が各々１個のアンテナずつ総２個のアンテナを区分し、このようなサブフレームを４個使用して８個のアンテナを区分することができる。｛ＣＤＭ，ＴＤＭ｝の場合、一つのサブフレームでＣＱＩ  ＲＳ  １はアンテナ０、１、ＣＱＩ  ＲＳ  ２はアンテナ２、３を区分するようにＣＤＭされ、同様の方式に構成された他のサブフレームでＣＱＩ  ＲＳ  １はアンテナ４、５、ＣＱＩ  ＲＳ  ２はアンテナ６、７を区分するようにＣＤＭされることができる（デューティサイクル２）。または、一つのサブフレームでＣＱＩ  ＲＳ  １がアンテナ０乃至３、ＣＱＩ  ＲＳ  ２がアンテナ４乃至７を区分するようにＣＤＭされることができる（デューティサイクル１）。隣接したセルでＣＱＩ  ＲＳ間の干渉を防止するために、セル別にＣＱＩ  ＲＳが配置される開始位置を移動させることができる。この場合、モジュラー３またはモジュラー６演算によってＣＱＩ  ＲＳが配置される開始位置（即ち、リソース要素の位置）を決定することができる。
【０１６３】
図４０は、サブフレーム内の２個のＯＦＤＭシンボルで総４個のリソース要素に４個のＣＱＩ  ＲＳを配置する例を示す。
【０１６４】
一つのサブフレームで各ＣＱＩ  ＲＳが一つのアンテナに対してのみ使われる場合、総４個のアンテナを区分することができる。従って、２個のサブフレームを用いて総８個のアンテナに対するＣＱＩ  ＲＳを提供することができる（デューティサイクル２）。または、一つのサブフレームで各ＣＱＩ  ＲＳがＣＤＭされて２個のアンテナに対して使われる場合、一つのサブフレーム内で８個のアンテナを全部区分することができる（デューティサイクル１）。
【０１６５】
図４１は、サブフレーム内の２個のＯＦＤＭシンボルでＣＱＩ  ＲＳが送信され、一つのリソースブロックに該当する周波数帯域で８個のリソース要素にＣＱＩ  ＲＳを配置する一例を示す。
【０１６６】
図４１を参照すると、時間領域で２個のＯＦＤＭシンボル、周波数領域で１２個の副搬送波を含むリソース領域で８個のリソース要素にＣＱＩ  ＲＳ  １が配置される。ＣＱＩ  ＲＳ  １が配置された各々のリソース要素は、互いに同一距離、例えば、３個のリソース要素距離ほど離隔されて配置されることができる。
【０１６７】
ＣＱＩ  ＲＳ  １は、ＣＤＭまたは｛ＣＤＭ及びＴＤＭ｝を使用して８個のアンテナを区分して配置されることができる。例えば、ＣＱＩ  ＲＳ  １が配置される８個のリソース要素はＣＤＭされて８個のアンテナを区分することができる。即ち、同一な８個のリソース要素に互いに異なるコードがＣＤＭされて８個のアンテナを区分することができる。この場合、一つのサブフレーム内で８個のアンテナの全部に対するＣＱＩ  ＲＳを送信することができる（デューティサイクル１）。
【０１６８】
または、ＣＱＩ  ＲＳ  １は一つのサブフレーム内の８個のリソース要素で４個のアンテナを区分することができるようにＣＤＭされ、このように構成された２個のサブフレームを用いて８個のアンテナを区分して送信されることができる。例えば、サブフレームｎでアンテナ０、１、２、３に対するＣＱＩ  ＲＳをＣＤＭして送信し、サブフレームｎ＋１でアンテナ４、５、６、７に対するＣＱＩ  ＲＳをＣＤＭして送信することができる。即ち、ＣＤＭ及びＴＤＭしてＣＱＩ  ＲＳを送信することができる（デューティサイクル２）。
【０１６９】
または、ＣＱＩ  ＲＳ  １は一つのサブフレーム内の８個のリソース要素で２個のアンテナを区分することができるようにＣＤＭされ、このように構成された４個のサブフレームを用いて８個のアンテナを区分して送信されることができる。例えば、サブフレームｎでアンテナ０、１に対するＣＱＩ  ＲＳをＣＤＭして送信し、サブフレームｎ＋１でアンテナ２、３、サブフレームｎ＋２でアンテナ４、５、サブフレームｎ＋３でアンテナ６、７に対するＣＱＩ  ＲＳをＣＤＭして送信することができる（デューティサイクル４）。
【０１７０】
図４２は、サブフレーム内の２個のＯＦＤＭシンボルで８個のリソース要素にＣＱＩ  ＲＳを配置する他の例を示す。図４２（ａ）のように連続するリソース要素にＣＱＩ  ＲＳが配置されることもでき、図４２（ｂ）のように２個の連続するリソース要素対が離隔されるパターンにＣＱＩ  ＲＳが配置されることもできる。セル毎にＣＱＩ  ＲＳが配置されるリソース要素の開始位置は変わることができる。
【０１７１】
図４３は、サブフレーム内の２個のＯＦＤＭシンボルで８個のリソース要素に２個のＣＱＩ  ＲＳを配置する例を示す。図４３（ａ）のように２個のＯＦＤＭシンボルで各ＣＱＩ  ＲＳが同一周波数帯域のリソース要素に配置されることもでき、図４３（ｂ）のように互いに異なる周波数帯域のリソース要素に配置されることもできる。
【０１７２】
一つのサブフレームでＣＱＩ  ＲＳ  １、ＣＱＩ  ＲＳ  ２が各々一つのアンテナに対して使われる場合、総２個のアンテナを区分して使われることができ、このようなサブフレームを４個使用すると、総８個のアンテナを区分することができる（デューティサイクル４）。または、一つのサブフレームでＣＱＩ  ＲＳ  １、ＣＱＩ  ＲＳ  ２の各々が２個のアンテナを区分することができるようにＣＤＭされる場合、総４個のアンテナを区分して使われることができる。このようなサブフレームを２個使用すると、総８個のアンテナを区分することができる（デューティサイクル２）。または、一つのサブフレームでＣＱＩ  ＲＳ  １、ＣＱＩ  ＲＳ  ２が各々４個のアンテナを区分することができるようにＣＤＭされる場合、８個のアンテナを区分することができる（デューティサイクル１）。
【０１７３】
図４４は、サブフレーム内の２個のＯＦＤＭシンボルで８個のリソース要素に２個のＣＱＩ  ＲＳを配置する例を示す。図４４（ａ）は、２個のＯＦＤＭシンボルでＣＱＩ  ＲＳ  １及びＣＱＩ  ＲＳ  ２が周波数領域で同一なリソース要素に配置される例である。図４４（ｂ）は、周波数領域で互いに異なるリソース要素に配置される例である。図４４（ｃ）は、ＣＱＩ  ＲＳ  １及びＣＱＩ  ＲＳ  ２が周波数領域で同一なリソース要素に配置され、各ＣＱＩ  ＲＳが６個のリソース要素距離ほど離隔されたリソース要素に配置される例を示す。図４４（ｄ）は、図４４（ｂ）と比較して各ＣＱＩ  ＲＳが６個のリソース要素距離ほど離隔されたリソース要素に配置されるという差がある。図４４（ｅ）及び（ｆ）は、一個のＯＦＤＭシンボルに一つのＣＱＩ  ＲＳのみ配置される特徴がある。即ち、ＣＱＩ  ＲＳ  １が配置されるＯＦＤＭシンボルは、ＣＱＩ  ＲＳ  ２が配置されるＯＦＤＭシンボルと異なる。
【０１７４】
図４５乃至図４７は、サブフレーム内の２個のＯＦＤＭシンボルで８個のリソース要素に４個のＣＱＩ  ＲＳを配置する例を示す。
【０１７５】
図４５乃至図４７のように配置された４個のＣＱＩ  ＲＳ  １乃至ＣＱＩ  ＲＳ  ４は互いに異なるリソース要素に各々割り当てられて（ＦＤＭ）区分が可能である。ＣＱＩ  ＲＳ  １乃至ＣＱＩ  ＲＳ  ４は、各々、互いに異なる基本シーケンスを使用することができる。ＣＱＩ  ＲＳ  １乃至ＣＱＩ  ＲＳ  ４は、｛ＣＤＭ及びＴＤＭ｝を使用して８個のアンテナを区分して配置されることができる。
【０１７６】
例えば、ＣＱＩ  ＲＳ  １が配置される総２個のリソース要素はＣＤＭされて２個のアンテナ（例えば、アンテナ０、１）を区分することができ、ＣＱＩ  ＲＳ  ２が配置される２個のリソース要素もＣＤＭされて２個のアンテナ（例えば、アンテナ２、３）を区分することができる。同様に、ＣＱＩ  ＲＳ  ３はアンテナ４、５、ＣＱＩ  ＲＳ  ４はアンテナ６、７を区分することができるようにＣＤＭされ、各々、２個のアンテナを区分することができる。即ち、ＣＱＩ  ＲＳ  １乃至ＣＱＩ  ＲＳ  ４は相互間にＦＤＭされ、ＣＱＩ  ＲＳ  １乃至ＣＱＩ  ＲＳ  ４の各々はＣＤＭされることができる。この場合、一つのサブフレーム内で８個のアンテナの全部に対するＣＱＩ  ＲＳを送信することができ、デューティサイクル（ｄｕｔｙ  ｃｙｃｌｅ）は１サブフレームである。
【０１７７】
または、ＣＱＩ  ＲＳ  １乃至ＣＱＩ  ＲＳ  ４の各々は、一つのサブフレーム内の総２個のリソース要素で１個のアンテナに対するＣＱＩ  ＲＳで送信されることができ、このように構成された２個のサブフレームを用いて８個のアンテナを区分して送信されることができる。例えば、サブフレームｎでＣＱＩ  ＲＳ  １乃至ＣＱＩ  ＲＳ  ４は、各々、アンテナ０乃至アンテナ３に対するＣＱＩ  ＲＳに区分されることができる。また、サブフレームｎ＋１でＣＱＩ  ＲＳ  １乃至ＣＱＩ  ＲＳ  ４は、各々、アンテナ４乃至アンテナ７に対するＣＱＩ  ＲＳに区分されることができる。即ち、ＴＤＭされてＣＱＩ  ＲＳを送信することができる。この場合、デューティサイクルは２サブフレームである。
【０１７８】
図４５で、各ＣＱＩ  ＲＳが配置されるリソース要素は、周波数領域で互いに同一距離ほど離隔されて配置され、図４６で、周波数領域で連続する４個のリソース要素に各ＣＱＩ  ＲＳが配置されるという差がある。図４７では、周波数領域で２個の連続するリソース要素に２個のＣＱＩ  ＲＳが配置され、前記２個の連続するリソース要素と離隔されて位置する２個の連続するリソース要素に残りの２個のＣＱＩ  ＲＳが配置される。
【０１７９】
図４６（ｃ）、図４７（ｃ）のように、一個のＯＦＤＭシンボルに２個のＣＱＩ  ＲＳ（ＣＱＩ  ＲＳ  １、ＣＱＩ  ＲＳ  ３）が配置され、残りの一個のＯＦＤＭシンボルに残りの２個のＣＱＩ  ＲＳ（ＣＱＩ  ＲＳ  ２、ＣＱＩ  ＲＳ  ４）が配置されることができる。または、図４５乃至図４７のその他の図面に示すように、一個のＯＦＤＭシンボルに４個のＣＱＩ  ＲＳを全部配置することができる。
【０１８０】
図４５（ａ）、図４６（ａ）、図４７（ａ）のように各ＣＱＩ  ＲＳは各ＯＦＤＭシンボルにいて周波数領域で同一なリソース要素に配置されることもでき、その他の図面に示しているように、互いに周波数領域で互いに異なるリソース要素に配置されることもできる。
【０１８１】
図４８は、サブフレーム内の２個のＯＦＤＭシンボルでＣＱＩ  ＲＳが送信され、総８個のリソース要素に４個のＣＱＩ  ＲＳを配置する例を示す。
【０１８２】
図４８を参照すると、時間領域で１個のＯＦＤＭシンボル、周波数領域で１２個の副搬送波を含むリソース領域で２個のＣＱＩ  ＲＳが各々２個のリソース要素に配置され、このようなＯＦＤＭシンボルが２個含まれる。ＣＱＩ  ＲＳ  １乃至ＣＱＩ  ＲＳ  ４は、各々、互いに異なる基本シーケンスを使用することができる。ＣＱＩ  ＲＳ  １乃至ＣＱＩ  ＲＳ  ４は、｛ＣＤＭ及びＴＤＭ｝を使用して８個のアンテナを区分して配置されることができる。
【０１８３】
例えば、一つのサブフレーム内のＣＱＩ  ＲＳ  １乃至ＣＱＩ  ＲＳ  ４が各々一つのアンテナに対して使われる場合、総２個のサブフレームを用いて８個のアンテナを区分することができる（デューティサイクル２）。または、一つのサブフレーム内のＣＱＩ  ＲＳ  １乃至ＣＱＩ  ＲＳ  ４が各々ＣＤＭされて２個のアンテナを区分して使われる場合、一つのサブフレームのみで８個のアンテナを区分することができる（デューティサイクル１）。ＣＱＩ  ＲＳ  １が配置される２個のリソース要素はＣＤＭされて２個のアンテナ（例えば、アンテナ０、１）を区分することができ、ＣＱＩ  ＲＳ  ２が配置される２個のリソース要素もＣＤＭされて２個のアンテナ（例えば、アンテナ３、４）を区分することができる。同様に、ＣＱＩ  ＲＳ  ３、ＣＱＩ  ＲＳ  ４もＣＤＭされ、各々、２個のアンテナを区分することができる。即ち、ＣＱＩ  ＲＳ  １乃至ＣＱＩ  ＲＳ  ４は相互間にＦＤＭされ、ＣＱＩ  ＲＳ  １乃至ＣＱＩ  ＲＳ  ４の各々はＣＤＭされることができる。このような場合、一つのサブフレーム内で８個のアンテナの全部に対するＣＱＩ  ＲＳを送信することができる。
【０１８４】
図４９は、サブフレーム内の２個のＯＦＤＭシンボルでＣＱＩ  ＲＳが送信され、総８個のリソース要素に４個のＣＱＩ  ＲＳを配置する他の例を示す。図４９（ａ）では連続する４個のリソース要素に２個のＣＱＩ  ＲＳが配置され、図４９（ｂ）では２個の連続するリソース要素とこれから所定リソース要素距離ほど離隔された２個の連続するリソース要素に２個のＣＱＩ  ＲＳが配置される。ＣＱＩ  ＲＳが配置されるリソース要素の開始位置は固定されることもでき、オフセット値によって移動することもできる。図４９（ｂ）におけるオフセット値は、１乃至４のうちいずれか一つの値に与えられることができる。
【０１８５】
図５０及び図５１は、サブフレーム内の２個のＯＦＤＭシンボルでＣＱＩ  ＲＳが送信され、総８個のリソース要素に８個のＣＱＩ  ＲＳを配置する例を示す。
【０１８６】
図５０を参照すると、時間領域で２個のＯＦＤＭシンボル、周波数領域で１２個の副搬送波を含むリソース領域で８個のＣＱＩ  ＲＳが各々１個のリソース要素に配置される。ＣＱＩ  ＲＳ  １乃至ＣＱＩ  ＲＳ  ８は、各々、互いに異なる基本シーケンスを使用することができる。ＣＱＩ  ＲＳ  １乃至ＣＱＩ  ＲＳ  ８は、各々、一つのアンテナに対して使われて総８個のアンテナを区分することができる。ＣＱＩ  ＲＳが配置されるリソース要素は同一なリソース要素距離（３リソース要素距離）ほど離隔されて位置することができる。図５１（ａ）ではＣＱＩ  ＲＳ  １乃至ＣＱＩ  ＲＳ  ８が配置されたリソース要素が周波数領域で連続して位置する。このような場合、セル毎に４リソース要素距離ほど移動してＣＱＩ  ＲＳを配置し、３個の隣接したセルでＣＱＩ  ＲＳが配置されるリソース要素は重ならないようにすることができる。図５１（ｂ）では２個の連続するリソース要素とこれから所定リソース要素距離ほど離隔された２個の連続するリソース要素に４個のＣＱＩ  ＲＳが配置され、このようなＯＦＤＭシンボルが２個存在する。このような場合、セル毎に２リソース要素距離ほど移動してＣＱＩ  ＲＳを配置することができる。この場合、隣接した３個のセルでＣＱＩ  ＲＳが配置されるリソース要素は重ならないようにすることができる。
【０１８７】
図５２乃至図６４は、時間領域で一つのサブフレーム、周波数領域で１２個の副搬送波を含むリソース領域に対して２個のＯＦＤＭシンボルでＣＱＩ  ＲＳが送信され、総８個のリソース要素に８個のＣＱＩ  ＲＳを配置する例を示す。前述した図４５（ａ）乃至（ｄ）、図４６（ａ）乃至（ｄ）、図４７（ａ）乃至（ｄ）、図４８、図４９、図５０、図５１は、図５２乃至図６４の例で示すように、サブフレーム内の特定２個のＯＦＤＭシンボルに位置することができる。図５２乃至図６４は、例示に過ぎず、特定２個のＯＦＤＭシンボルでＣＱＩ  ＲＳが配置される周波数上の開始位置は多様に変形が可能である。
【０１８８】
ＣＱＩ  ＲＳが配置されるリソース要素は、共用参照信号が配置されるリソース要素と周波数領域で同一な場合もあり（図５２乃至図５６参照）、互いに異なる場合もある（図５７乃至図６４参照）。
【０１８９】
図５２乃至図５６に示す例のように、ＣＱＩ  ＲＳが同一なリソース要素距離（３リソース要素距離）ほど離隔されて配置されるパターンの場合、隣接した３個のセルでＣＱＩ  ＲＳが配置されるリソース要素を１リソース要素単位に移動させて配置すると、互いにリソース要素が重ならない  。図５７乃至図６０に示す例のように、ＣＱＩ  ＲＳが連続する４個のリソース要素に配置されるパターンの場合、隣接した３個のセルでＣＱＩ  ＲＳが配置されるリソース要素を４リソース要素単位に移動させて配置すると、互いにリソース要素が重ならない。図６１乃至図６４に示す例のように、ＣＱＩ  ＲＳが２個の連続するリソース要素に配置され、前記２個の連続するリソース要素と４リソース要素ほど離隔されて位置する２個の連続するリソース要素に配置されるパターンの場合、隣接した３個のセルでＣＱＩ  ＲＳが配置されるリソース要素を２リソース要素単位に移動させて配置すると、互いにリソース要素が重ならない。
【０１９０】
図６５は、サブフレーム内の２個のＯＦＤＭシンボルに総１２個のリソース要素にＣＱＩ  ＲＳを配置する例を示す。一個のＯＦＤＭシンボルにおいて、図６５（ａ）のようにＣＱＩ  ＲＳは同一なリソース要素（２リソース要素距離）ほど離隔されたリソース要素に配置されることもでき、図６５（ｂ）のように連続する６個のリソース要素に配置されることもできる。または、図６５（ｃ）、図６５（ｄ）のように連続する所定個数のリソース要素とこれから所定リソース要素距離離隔された連続する所定個数のリソース要素にＣＱＩ  ＲＳが配置されることもできる。セルまたはセルグループ別にＣＱＩ  ＲＳが配置されるリソース要素を周波数領域でシフトさせることによって相互間に干渉を減らすことができる。例えば、図６５（ｄ）の場合、オフセット値を１乃至８のうちいずれか一つの値に与え、周波数領域でＣＱＩ  ＲＳが配置されるリソース要素をシフトさせることができる。
【０１９１】
図６５（ａ）の場合、一つのサブフレームでＣＤＭを介して８個のアンテナを区分することができる（デューティサイクル１）。または、一つのサブフレームでＣＤＭを介して４個のアンテナを区分し、このようなサブフレーム２個を用いて８個のアンテナを区分することができる（デューティサイクル２）。または、一つのサブフレームでＣＤＭを介して２個のアンテナを区分し、このようなサブフレーム４個を用いて８個のアンテナを区分することができる（デューティサイクル４）。
【０１９２】
図６６は、サブフレーム内の２個のＯＦＤＭシンボルに総１６個のリソース要素にＣＱＩ  ＲＳを配置する例を示す。
【０１９３】
一個のＯＦＤＭシンボルにおいて、図６６（ａ）のように連続する２個のリソース要素が１リソース要素距離ほど離隔されるパターンにＣＱＩ  ＲＳが配置されることもでき、図６６（ｂ）のように連続する４個のリソース要素が２リソース要素距離ほど離隔されるパターンにＣＱＩ  ＲＳが配置されることもできる。または、図６６（ｃ）のように連続する８個のリソース要素にＣＱＩ  ＲＳが配置されることもできる。
【０１９４】
例えば、図６６（ａ）のようにＣＱＩ  ＲＳが配置される場合、一つのサブフレームでＣＤＭを介して８個のアンテナを区分することもでき（デューティサイクル１）、一つのサブフレームでＣＤＭを介して４個のアンテナを区分し、このようなサブフレーム２個を用いて８個のアンテナを区分することもでき（デューティサイクル２）、一つのサブフレームでＣＤＭを介して２個のアンテナを区分し、このようなサブフレーム４個を用いて８個のアンテナを区分することもできる（デューティサイクル４）。
【０１９５】
図６７は、サブフレーム内の２個のＯＦＤＭシンボルに総１６個のリソース要素に２個のＣＱＩ  ＲＳを配置する例を示す。各々のＣＱＩ  ＲＳは８個のリソース要素に配置される。
【０１９６】
ＣＱＩ  ＲＳ  １、ＣＱＩ  ＲＳ  ２は、各々、図６７（ａ）、（ｃ）のように２個のＯＦＤＭシンボルで同一な周波数領域のリソース要素に配置されることもできる。または、図６７（ｂ）のように他の周波数領域のリソース要素に配置されることもできる。図６７（ｄ）は、一個のＯＦＤＭシンボルに一つのＣＱＩ  ＲＳのみ配置される例を示す。
【０１９７】
一つのサブフレームで２個のＣＱＩ  ＲＳが各々一つのアンテナに使われる場合、このようなサブフレーム４個を用いて総８個のアンテナに区分して使われることができる（デューティサイクル４）。一つのサブフレームで各ＣＱＩ  ＲＳがＣＤＭを介して２個のアンテナに使われる場合、総４個のアンテナに使われることができる。従って、このようなサブフレーム２個を用いて総８個のアンテナに区分して使われることができる（デューティサイクル２）。もし、一つのサブフレームで各ＣＱＩ  ＲＳがＣＤＭを介して４個のアンテナに使われる場合、一つのサブフレームのみで８個のアンテナに区分して使われることができる（デューティサイクル１）。
【０１９８】
図６８及び図６９は、サブフレーム内の２個のＯＦＤＭシンボルに総１６個のリソース要素に２個のＣＱＩ  ＲＳを配置する他の例を示す。
【０１９９】
図６８及び図６９に示す例は、オフセット値によりＣＱＩ  ＲＳが配置されるリソース要素を周波数領域でシフトさせ、セルまたはセルグループ単位に使われることもできる。オフセット値は１乃至４のうちいずれか一つが使われることができる。
【０２００】
図７０及び図７１は、サブフレーム内の２個のＯＦＤＭシンボルに総１６個のリソース要素に４個のＣＱＩ  ＲＳを配置する例を示す。
【０２０１】
一つのサブフレームで各ＣＱＩ  ＲＳが一つのアンテナに使われる場合、４個のアンテナを区分することができるため、このようなサブフレーム２個を用いて総８個のアンテナを区分することができる（デューティサイクル２）。または、サブフレーム内の一個のＯＦＤＭシンボルに配置されたＣＱＩ  ＲＳ  １乃至ＣＱＩ  ＲＳ  ４を用いて４個のアンテナを区分し、残りの一個のＯＦＤＭシンボルに配置されたＣＱＩ  ＲＳ  １乃至ＣＱＩ  ＲＳ  ４を用いて他の４個のアンテナを区分する方法（デューティサイクル１）も使われることができる。または、サブフレーム内の各ＣＱＩ  ＲＳがＣＤＭにより２個のアンテナに使われる場合、サブフレーム内の４個のＣＱＩ  ＲＳにより８個のアンテナを区分することもできる（デューティサイクル１）。図７１に示す例は、オフセット値によりＣＱＩ  ＲＳが配置されるリソース要素を周波数領域でシフトさせ、セルまたはセルグループ単位に使われることもできる。オフセット値は１乃至６のうちいずれか一つが使われることができる。
【０２０２】
図７２及び図７３は、サブフレーム内の２個のＯＦＤＭシンボルに総１６個のリソース要素に８個のＣＱＩ  ＲＳを配置する例を示す。
【０２０３】
一つのサブフレームに８個のＣＱＩ  ＲＳが配置されるため、８個のアンテナに対して区分して使われることができる。各ＣＱＩ  ＲＳは配置されるリソース要素が互いに異なるため区分されることができる。図７３の例は、ＣＱＩ  ＲＳが配置されるリソース要素をオフセット値により周波数領域で１乃至８リソース要素ほどシフトさせることができる。セルまたはセルグループによってオフセット値は異なる。
【０２０４】
図７４は、時間領域で一つのサブフレーム、周波数領域で１２個の副搬送波を含むリソース領域に対して２個のＯＦＤＭシンボルでＣＱＩ  ＲＳが送信され、総１６個のリソース要素に４個のＣＱＩ  ＲＳを配置する例を示す。
【０２０５】
図７５は、時間領域で一つのサブフレーム、周波数領域で１２個の副搬送波を含むリソース領域に対して２個のＯＦＤＭシンボルでＣＱＩ  ＲＳが送信され、総１６個のリソース要素に８個のＣＱＩ  ＲＳを配置する例を示す。
【０２０６】
本発明は、ハードウェア、ソフトウェアまたはこれらの組合せで具現されることができる。ハードウェア具現において、前述した機能を遂行するためにデザインされたＡＳＩＣ（ａｐｐｌｉｃａｔｉｏｎ  ｓｐｅｃｉｆｉｃ  ｉｎｔｅｇｒａｔｅｄ  ｃｉｒｃｕｉｔ）、ＤＳＰ（ｄｉｇｉｔａｌ  ｓｉｇｎａｌ  ｐｒｏｃｅｓｓｉｎｇ）、ＰＬＤ（ｐｒｏｇｒａｍｍａｂｌｅ  ｌｏｇｉｃ  ｄｅｖｉｃｅ）、ＦＰＧＡ（ｆｉｅｌｄ  ｐｒｏｇｒａｍｍａｂｌｅ  ｇａｔｅ  ａｒｒａｙ）、プロセッサ、制御器、マイクロ・プロセッサ、他の電子ユニットまたはこれらの組合せで具現されることができる。ソフトウェア具現において、前述した機能を遂行するモジュールで具現されることができる。ソフトウェアは、メモリユニットに格納されることができ、プロセッサにより実行される。メモリユニットやプロセッサは当業者によく知られた多様な手段を採用することができる。
【０２０７】
以上、本発明の好ましい実施例に対して詳細に記述したが、本発明が属する技術分野において通常の知識を有する者であれば、特許請求の範囲に定義された本発明の精神及び範囲を外れない限り、本発明を様々に変形または、変更して実施することができることが知ることができる。従って、本発明の今後の実施例の変更は、本発明の技術を外れることができない。
【図１】
0005542290.tif 000009
【図２】
0005542290.tif 000010
【図３】
0005542290.tif 000011
【図４】
0005542290.tif 000012
【図５】
0005542290.tif 000013
【図６】
0005542290.tif 000014
【図７】
0005542290.tif 000015
【図８】
0005542290.tif 000016
【図９】
0005542290.tif 000017
【図１０】
0005542290.tif 000018
【図１１】
0005542290.tif 000019
【図１２】
0005542290.tif 000020
【図１３】
0005542290.tif 000021
【図１４】
0005542290.tif 000022
【図１５】
0005542290.tif 000023
【図１６】
0005542290.tif 000024
【図１７】
0005542290.tif 000025
【図１８】
0005542290.tif 000026
【図１９】
0005542290.tif 000027
【図２０】
0005542290.tif 000028
【図２１】
0005542290.tif 000029
【図２２】
0005542290.tif 000030
【図２３】
0005542290.tif 000031
【図２４】
0005542290.tif 000032
【図２５】
0005542290.tif 000033
【図２６】
0005542290.tif 000034
【図２７】
0005542290.tif 000035
【図２８】
0005542290.tif 000036
【図２９】
0005542290.tif 000037
【図３０】
0005542290.tif 000038
【図３１】
0005542290.tif 000039
【図３２】
0005542290.tif 000040
【図３３】
0005542290.tif 000041
【図３４】
0005542290.tif 000042
【図３５】
0005542290.tif 000043
【図３６】
0005542290.tif 000044
【図３７】
0005542290.tif 000045
【図３８】
0005542290.tif 000046
【図３９】
0005542290.tif 000047
【図４０】
0005542290.tif 000048
【図４１】
0005542290.tif 000049
【図４２】
0005542290.tif 000050
【図４３】
0005542290.tif 000051
【図４４】
0005542290.tif 000052
【図４５】
0005542290.tif 000053
【図４６】
0005542290.tif 000054
【図４７】
0005542290.tif 000055
【図４８】
0005542290.tif 000056
【図４９】
0005542290.tif 000057
【図５０】
0005542290.tif 000058
【図５１】
0005542290.tif 000059
【図５２】
0005542290.tif 000060
【図５３】
0005542290.tif 000061
【図５４】
0005542290.tif 000062
【図５５】
0005542290.tif 000063
【図５６】
0005542290.tif 000064
【図５７】
0005542290.tif 000065
【図５８】
0005542290.tif 000066
【図５９】
0005542290.tif 000067
【図６０】
0005542290.tif 000068
【図６１】
0005542290.tif 000069
【図６２】
0005542290.tif 000070
【図６３】
0005542290.tif 000071
【図６４】
0005542290.tif 000072
【図６５】
0005542290.tif 000073
【図６６】
0005542290.tif 000074
【図６７】
0005542290.tif 000075
【図６８】
0005542290.tif 000076
【図６９】
0005542290.tif 000077
【図７０】
0005542290.tif 000078
【図７１】
0005542290.tif 000079
【図７２】
0005542290.tif 000080
【図７３】
0005542290.tif 000081
【図７４】
0005542290.tif 000082
【図７５】
0005542290.tif 000083